(57)【要約】【課題】  ベッド床は、その上に仰臥する使用者の頭部を上下方向に通過する揺動中心軸線まわりに、左右に反復揺動するので、使用者の頭部は、ほとんど上下の昇降揺動がなく、その身体に心地よい左右揺動を与えることができ、睡眠を促すことができる。【解決手段】  支持フレームＳと、この支持フレームＳに揺動可能に支持されるベッド床Ｂと、ベッド床Ｂを揺動駆動する揺動駆動手段Ｄとを備えた睡眠促進用ベッドであって、ベッド床Ｂの揺動中心軸線Ｌ１−Ｌ１は、ベッド床Ｂ上に仰臥する使用者Ｍの頭部Ｈを上下方向に通過する。【選択図】    図１
2006305147.tif 000002
【特許請求の範囲】
【請求項１】
支持フレームと、この支持フレームに揺動可能に支持されるベッド床と、このベッド床を揺動駆動する揺動駆動手段とを備え、ベッド床を揺動させて、該ベッド床上に臥する使用者の睡眠を促進するようにした、睡眠促進用ベッドであって、
前記ベッド床は、そこに仰臥する使用者の頭部を上下方向に通過する揺動中心軸線まわりに左右に揺動することを特徴とする、睡眠促進用ベッド。
【請求項２】
支持フレームと、この支持フレームに揺動可能に支持されるベッド床と、このベッド床を揺動駆動する揺動駆動手段とを備え、ベッド床を揺動させて、該ベッド床上に臥する使用者の睡眠を促進するようにした、睡眠促進用ベッドであって、
前記ベッド床は、そこに仰臥する使用者の頭部を通過する上下方向の揺動中心軸線まわりに左右方向に揺動可能であり、かつ使用者の頭部よりも下方に存する揺動中心点まわりに上下方向に傾動可能であって、前記ベッド床上の使用者の足部を受けるベッド床の後部は、該ベッド床の前後方向の中心軸線上に存する谷から左右方向外側に向かってそれぞれ上り勾配に傾斜する左右案内レールに案内されて、該ベッド床の左右の両端が反対方向へ緩やかな昇降運動を伴いながら左右方向に揺動するようにされていることを特徴とする、睡眠促進用ベッド。
【請求項３】
前記ベッド床の上面の、該ベッド床上に仰臥する使用者の左右方向が、水平状態であることを検出する水平位置検出手段および該水平位置検出手段の検出信号をうけて、前記ベッド床を前記水平状態に固定する水平位置固定手段とが設けられ、ベッド床の揺動稼働停止後、ベッド床の上面は前記水平状態に固定されることを特徴とする、前記請求項１または２記載の睡眠促進用ベッド。
【請求項４】
前記ベッドフレームに、支持フレームが上下方向に回動可能に支持され、該支持フレームに前記ベッド床が揺動可能に支持されており、前記支持フレームは、前記ベッド床の上面が、該上面に仰臥する使用者の身長方向が水平になる状態と、使用者の頭部側から足部側へ下向きに傾斜する状態とをとり得るようにされていることを特徴とする、前記請求項１，２または３記載の睡眠促進用ベッド。
【請求項５】
前記ベッド床の揺動速度、揺動稼働時間を任意に調整コントロールできるようにした、リモコンスイッチとを備えていることを特徴とする、前記請求項１，２，３または４記載の睡眠促進用ベッド。
【請求項６】
前記ベッド床上に仰臥する使用者の頭部近くに、芳香発生手段、音楽発生手段および暗示トーク発生手段を備えていることを特徴とする、前記請求項１，２，３，４または５記載の睡眠促進用ベッド。
【請求項７】
目覚まし時刻を設定する目覚まし時刻設定手段を備え、前記目覚まし時刻設定手段で設定された目覚まし時刻に応じて、前記ベッド床を揺動させて使用者を睡眠から目覚めさせるための目覚まし動作を行い、前記目覚まし動作時の前記ベッド床の揺動速度は、前記睡眠促進動作時よりも増速されることを特徴とする、前記請求項１，２，３，４，５または６記載の睡眠促進用ベッド。
【請求項８】
使用者を睡眠から目覚めさせるための目覚まし音を発生させる目覚まし音発生手段を備え、前記設定された目覚まし時刻に応じて、前記目覚まし音発生手段を稼働して目覚まし音を発生させることを特徴とする、前記請求項７記載の睡眠促進用ベッド。
【請求項９】
前記ベッド床の後部には、ベッド床上の使用者の足部を温める足温手段が設けられていることを特徴とする、前記請求項１，２，３，４，５，６，７または８記載の睡眠促進用ベッド。
【発明の詳細な説明】
【技術分野】
【０００１】
本発明は、睡眠促進用ベッドに関するものである。
【背景技術】
【０００２】
近年、政治的には、テロ、地政学的なリスクの高まりなどの政情不安、社会的には、残酷な犯罪の多発などの社会環境の悪化、また、経済的には、デフレ、リストラ、不況などの経済不安、さらに、職場や家庭内での人間関係の悪化などの諸原因により、ストレスの高まりから、睡眠不足、不眠症を訴える者、特に中高年齢者が増大しつつある。
【０００３】
このような睡眠不足や不眠症の解消方法として、飲酒をしたり、睡眠薬を使用したりしているものも見受けられるが、これらはいずれも習慣性があり、飲酒量、睡眠薬の使用量が次第に多くなる傾向があって、健康を害する原因となっている。
【０００４】
そこで、従来、睡眠を促進する装置として後記特許文献１〜５に記載されたものが、またストレスを解消する装置として特許文献６に記載されたものが知られている。
【特許文献１】実公平５−６９９９号公報
【特許文献２】特開２００２−１７５１６号公報
【特許文献３】実開昭４９−２７８０４号マイクロフィル
【特許文献４】実開昭５２−１０９９０４号マイクロフィル
【特許文献５】特開２００１−１８７１４７号公報
【特許文献６】特開平８−８９５７９号公報  特許文献１には、人が仰臥するプレート（水平ベッド）を、複数のカムにて、上下或いは左右に揺動し、振動効果を出しつつ、車内騒音や音楽を流して睡眠効果が得られるようにしたものが開示され、  また、特許文献２には、ブランコ式ベッドであって、ベッド床を、吊棒に吊るしたアームによりブランコ状に揺動できるようにしたものが開示され、  さらに、特許文献３には、マット台を前後に揺動させる共に、交互に昇降させるようにしたベッドが開示され、  さらにまた、特許文献４には、モータで偏心カムを回転させてベッドを揺らすようにした揺動機のついた自動車揺すりベッドが開示されている。
【０００５】
また、特許文献５には、音響と芳香の作用を統合した安眠装置が開示され、
特許文献６には、芳香と音楽と足温の相乗効果で、心の緊張を和らげるようにしたリラクセーション装置が開示されている。
【発明の開示】
【発明が解決しようとする課題】
【０００６】
ところで、一般に、人間は左右の揺れや揺動には、割合に鈍感であり、むしろ心地良く感じることがある反面、上下の振動や昇降には敏感に反応して不快感、不安感を感じるものであり、たとえば、人が就寝時にマグニチュード３〜４の地震を経験したときに、左右の揺れには比較的に鈍感であるのに対して上下の揺れには敏感に反応して起き上がったことは誰もが経験しているところであり、また、就寝時、立起時を問わずに、人は上下の振動、揺動、昇降に対して敏感に反応し、たとえば、エレベータの急速下降、航空機の急降下、航海時の船揺れなどには不快感、不安感を感じることは誰もが経験している。
【０００７】
そこで、上記実情を勘案し、本出願の発明者が研究、研鑽を重ねた結果、ベッド上においても、ベッド上に臥する人の頭部の上下振動、上下揺動、昇降は、睡眠の促進には良い結果とはならず、むしろ睡眠の妨げになることをつきとめた。
【０００８】
しかしながら、前記特許文献１，２のものは、いずれもベッドを左右および上下に揺動させて、人の頭部は左右に揺れると共に上下にも昇降を繰り返すようにされており、また、前記特許文献３，４のものはいずれも頭部と足部を交互に昇降揺動する方式であり、したがって、特許文献１〜４のものはいずれも、「人間の大切な頭部の上下揺動を極力抑える」という睡眠の促進に最も重要な基本的な要件を欠如しており、睡眠促進用ベッドとして満足のいくものではなかった。
【０００９】
本発明はかかる事情に鑑みてなされたものであり、人間の大切な頭部の上下揺動を極力抑えながら、身体には、睡眠に必要な心地よい揺動を与えて睡眠を大いに促進できるようにした、新規な睡眠促進用ベッドを提供することを目的とするものである。
【００１０】
また、本発明は身体に適した前記揺動に、芳香、音楽、暗示トークを組み合わせたことによる「相乗効果」で、睡眠の促進効果をより高めるようにした、新規な睡眠促進用ベッドを提供することを他の目的とするものである。
【課題を解決するための手段】
【００１１】
上記目的を達成するために、請求項１記載の本発明は、支持フレームと、この支持フレームに揺動可能に支持されるベッド床と、このベッド床を揺動駆動する揺動駆動手段とを備え、ベッド床を揺動させて、該ベッド床上に臥する使用者の睡眠を促進するようにした、睡眠促進用ベッドであって、
前記ベッド床は、そこに仰臥する使用者の頭部を上下方向に通過する揺動中心軸線まわりに左右に揺動することを特徴としている。
【００１２】
上記目的を達成するために、請求項２記載の本発明は、支持フレームと、この支持フレームに揺動可能に支持されるベッド床と、このベッド床を揺動駆動する揺動駆動手段とを備え、ベッド床を揺動させて、該ベッド床上に臥する使用者の睡眠を促進するようにした、睡眠促進用ベッドであって、
前記ベッド床は、そこに仰臥する使用者の頭部を通過する上下方向の揺動中心軸線まわりに左右方向に揺動可能であり、かつ使用者の頭部よりも下方に存する前記揺動中心軸線上の揺動中心点まわりに上下方向にシーソー状に傾動可能であって、前記ベッド床上の使用者の足部を受けるベッド床の後部は、該ベッド床の前後方向の中心軸線上に存する谷から左右方向外側に向かってそれぞれ上り勾配に傾斜する左右案内レールに案内されて、該ベッド床の左右の両端が反対方向へ緩やかな昇降運動を伴いながら左右方向に揺動するようにされていることを特徴としている。
【００１３】
上記目的を達成するために、請求項３記載の本発明は、前記請求項１または２記載のものにおいて、前記ベッド床の上面の、該ベッド床上に仰臥する使用者の左右方向が、水平状態であることを検出する水平位置検出手段および該水平位置検出手段の検出信号をうけて、前記ベッド床を前記水平状態に固定する水平位置固定手段とが設けられ、ベッド床の揺動稼働停止後、ベッド床の上面は前記水平状態に固定されることを特徴としている。
【００１４】
上記目的を達成するために、請求項４記載の本発明は、前記請求項１，２または３記載のものにおいて、前記ベッドフレームに、支持フレームが上下方向に回動可能に支持され、該支持フレームに前記ベッド床が揺動可能に支持されており、前記支持フレームは、前記ベッド床の上面が、該上面に仰臥する使用者の身長方向が水平になる状態と、使用者の頭部側から足部側へ下向きに傾斜する状態とをとり得るようにされていることを特徴ととしている。
【００１５】
上記目的を達成するために、請求項５記載の本発明は、前記請求項１，２，３または４記載のものにおいて、前記ベッド床の揺動速度、揺動稼働時間を任意に調整コントロールできるようにした、リモコンスイッチとを備えていることを特徴としている。
【００１６】
上記目的を達成するために、請求項６記載の本発明は、前記請求項１，２，３，４または５記載のものにおいて、前記ベッド床上に仰臥する使用者の頭部近くに、芳香発生手段、音楽発生手段および暗示トーク発生手段を備えていることを特徴としている。
【００１７】
上記目的を達成するために、請求項７記載の本発明は、前記請求項１，２，３，５または６記載のものにおいて、目覚まし時刻を設定する目覚まし時刻設定手段を備え、前記目覚まし時刻設定手段で設定された目覚まし時刻に応じて、前記ベッド床を揺動させて使用者を睡眠から目覚めさせるための目覚まし動作を行い、前記目覚まし動作時の前記ベッド床の揺動速度は、前記睡眠促進動作時よりも増速されることを特徴としている。
【００１８】
上記目的を達成するために、請求項８記載の本発明は、前記請求項７記載のものにおいて、使用者を睡眠から目覚めさせるための目覚まし音を発生させる目覚まし音発生手段を備え、前記設定された目覚まし時刻に応じて、前記目覚まし音発生手段を稼働して目覚まし音を発生させることを特徴としている。
【００１９】
上記目的を達成するために、請求項９記載の本発明は、前記請求項１，２，３，４，５，６，７または８記載のものにおいて、前記ベッド床の後部には、ベッド床上の使用者の足部を温める足温手段が設けられていることを特徴としている。
【発明の効果】
【００２０】
請求項各項記載の発明によれば、ベッド床は、そこに仰臥する使用者の頭部を上下方向に通過する揺動中心軸線まわりに左右に揺動するので、使用者の頭部は、ほとんど上下の昇降揺動がなく、その身体に心地よい左右揺動を与えることができ、睡眠を促進することができる。
【００２１】
また、請求項２記載の発明によれば、使用者は、その頭部が水平状態を保ちながら、その足部は緩やかなシーソー状の上下方向の傾動を伴いながら左右方向に揺動されてその身体に心地よい揺動を与えることができ、睡眠を一層促進することができる。
【００２２】
さらに、請求項３記載の発明によれば、ベッド床の揺動稼働の停止後は、ベッド床の上面は水平状態に固定されるので、使用者の安全が確保され、安心してこの睡眠促進用ベッドを利用することができる。
【００２３】
さらに、請求項４記載の発明によれば、使用者は、頭部側から足部側へ下方に傾斜する状態をとり得るので、使用者の足部への血液の流れの負担を軽減することができ、安眠を一層促進することができる。
【００２４】
さらに、請求項５記載の発明によれば、使用者は、揺動幅、揺動速度、揺動稼働時間をを自分に合ったものに調整することができる。
【００２５】
さらに、請求項６記載の発明によれば、使用者は、ベッド床からの心地よい前記左右揺動をうけながら、安らぎ用芳香を嗅ぎ、心身を安静化させる音楽を聞き、さらにストレス解消用の暗示トークを聞いて、短時間のうちに深い眠りにつくことができる。
【００２６】
さらに、請求項７，８記載の発明によれば、ベット床を揺動させることで目覚ましを行うを行うので、使用者を刺激せずに睡眠から確実に目覚めさせることができる。特に、目覚まし動作時のベッド床の揺動速度を睡眠促進時よりも増速することにより、目覚ましとするので、ベッド床の揺動を睡眠促進のほか、目覚ましにも利用することができ、目覚ましのために他の動作をしないで済む。
【００２７】
さらに、請求項８記載の発明によれば、ベッド床の揺動と目覚まし音とで目覚ましを行うので、使用者を睡眠から、より一層確実に目覚めさせることができる。
【００２８】
さらに、請求項９記載の発明によれば、冬期、寒冷地など必要に応じて使用者は、足部を温めることができる。
【発明を実施するための最良の形態】
【００２９】
以下、本発明の実施の形態を、添付図面に示した本発明の実施例に基づいて具体的に説明する。
【００３０】
図１〜図１６は、本発明の第１実施例を示すものであり、図１は、睡眠促進用ベッドの一部破断全体側面図、図２は、睡眠促進用ベッドを上下に傾動した場合の一部破断全体側面図、図３は、睡眠促進用ベッドの一部破断全体斜視図、図４は、図１の４矢視の睡眠促進用ベッドの一部破断平面図、図５は、図１の５−５線に沿う睡眠促進用ベッドの一部破断前端面図、図６は、図１の６−６線に沿う睡眠促進用ベッドの一部破断後端面図、図７は、図１の７−７線に沿う拡大断面図、図８は、図７の仮想線囲い部分の拡大図、図９は、図８の９−９線に沿う断面図、図１０は、図１の１０矢視拡大図、図１１は、図１０の１１−１１線に沿う断面図、図１２は、図１１の１２矢視図、図１３は、図１の１３矢視拡大図、図１４は、図１３の１４−１４線に沿う断面図、図１５はリモコンスイッチの正面図、図１６は、睡眠促進用ベッドの駆動制御の結線説明図である。
【００３１】
図１〜３に示すように、睡眠促進用ベッドのベッドフレームＦは、鉛直方向に起立される板状の前、後部フレーム１，２と、これら前、後部フレーム１，２を一体に連結する略水平な底部フレーム３とより側面視凹状に構成される。ベッドフレームＦ内には、後述する支持フレームＳが上下方向に傾動可能に支持され、さらに、この支持フレームＳに、後に詳述するベッド床Ｂが、上下方向の揺動中心軸線Ｌ１−Ｌ１まわりに左右方向に揺動可能に支持される。また、このベッドフレームＦの下面四隅には、このベッドフレームＦを自在に走行可能にするためのキャスタ２９がそれぞれ設けられる。
【００３２】
図３に示すように、前記支持フレームＳは、方形の枠状に形成されており、ベッドフレームＦの前、後部フレーム１，２の間で、底部フレーム３の上方に配置されている。前部フレーム１の内面下部左右には、一対の軸受４，４を介して支持フレームＳの前端に固定された支持軸５が回転可能に横架されており、支持フレームＳは、この支持軸５まわりに上下方向に傾動可能である。また、支持フレームＳの後端の左右には、後方に延びる一対の支持アーム６，６が片持状に一体に設けられており、図６に最も明瞭に示すように、これらの支持アーム６，６の後端には、ウエルドナットｎ、ｎがそれぞれ固定され、これらのウエルドナットｎ，ｎには、後部フレーム３に設けた上下方向のガイド孔８，８を摺動自在に貫通した調整螺子７，７がねじ込まれている。したがって、一対の調整螺子７，７を緩めたのち、支持フレームＳの後端をガイド孔８，８に沿って上下方向に昇降調節することにより、支持フレームＳを支持軸５まわりに上下に傾動調整することができ、図２に示すように、支持フレームＳを後方（ベッド床Ｂ上に仰臥する使用者の足側）に向かって下向きに傾動させることができる。また、調整螺子７，７を締め付けることにより、該支持フレームＳを所定の位置に固定することができる。
【００３３】
図１〜５に示すように、支持フレームＳの後端中間部と、ベッドフレームＦとの間には、ガススプリング９が連結されており、支持フレームＳの前述の傾動調整は、このガススプリング９のスプリング作用により助成されて軽快、緩徐かつ容易に行なうことができる。
【００３４】
支持フレームＳは、図１に示すように、ベッド床Ｂの上面の該上面に仰臥する使用者Ｍの身長方向が水平になる状態と、図２に示すように、使用者Ｍの頭部Ｈ側から足部Ｌｅ側へ向かい下方に傾斜する状態とを取り得るようにされており、２図の傾斜状態では、ベッド床Ｂ上の使用者Ｍは、足部Ｌｅへの血液の流れを助成することができる。
【００３５】
図１〜３に示すように、前記ベッド床Ｂは、方形状の皿状をなす揺動フレーム１１と、この揺動フレーム１１上に収容されるスポンジマットなどの弾褥体よりなるクッション体３３と、このクッション体３３上に敷設される低反発マットなどの敷布マット３４とより構成される。前記ベッド床Ｂの敷布マット３４上には、使用者Ｍが、頭部Ｈを前部フレーム１側に向けて臥するようにされている。
【００３６】
ベッド床Ｆは、その前部（使用者Ｍの頭部Ｈ側）が、後述する軸受支持手段ＳＢを介して支持フレームＳの前部に、上下方向の揺動中心軸線Ｌ１−Ｌ１まわりに左右方向に揺動可能に支持され、また、その後部（使用者の足側）が、後述するレール案内支持手段ＳＬを介して支持フレームＳの後部に左右方向にスライド移動可能に支持されている。
【００３７】
図１〜３，図５に示すように、前記軸受支持手段ＳＢは、自動調心軸受１２と、この軸受１２により支持される上下支持軸１３とを備えており、前記自動調心軸受１２は、支持フレームＳの前部のクロスメンバーの中央に設けられ、一方、上下支持軸１３は、ベッド床Ｂの揺動フレーム１１の前部の左右方向中央に一体に吊下されている。したがって、ベッド床Ｂの前部の左右方向中央は、支持フレームＳの前部に前記軸受支持手段ＳＢを介して上下方向の揺動中心軸線Ｌ１−Ｌ１まわりに左右方向に揺動可能に支持される。
【００３８】
また、図５に示すように、前記自動調心軸受１３の中心Ｃは、前記揺動中心軸線Ｌ１−Ｌ１上を通っており、ベッド床Ｂは、この中心Ｃを揺動中心点として上下方向にシーソー状に傾動が許容される。
【００３９】
また、図１〜３，図６に示すように、前記レール案内支持手段ＳＬは、支持フレームＳの後端に固定される、横方向に略水平に延びる案内レール３８と、ベッド床Ｓの後端左右にブラケット４０，４０を介して回転自在に支持される一対のローラ３９，３９とより構成され、これらのローラ３９，３９は、前記案内レール３８上を転動できるようにされている。
【００４０】
図１，２，４に示すように、ベッド床Ｂ上に使用者Ｍが仰臥したとき、ベッド床Ｂの上下方向の揺動中心軸線Ｌ１−Ｌ１、すなわち、上下支持軸１３の中心軸線は、その使用者Ｍの頭部を上下方向に通過しており、したがって、ベッド床Ｂが前記揺動中心軸線Ｌ１−Ｌ１まわりに左右方向に揺動するとき、使用者Ｍは、その頭部Ｈが上下方向に揺すられることが殆どなく、その頭部Ｈを中心して左右方向に揺すられることになり、その頭部Ｈと足部Ｌｅ間の揺すり軌跡は、ベッド床Ｂの平面視で、頭部Ｈを中心とし足部Ｌｅが最も大きく揺すられる扇形状となる（図４参照）。
【００４１】
しかして、ベッド床Ｂは、前記上下方向の揺動中心軸線Ｌ１−Ｌ１まわりに左右方向に揺動するとき、自動調心軸受１３の中心、すなわち揺動中心点Ｃまわりにシーソー状の上下方向の傾動が許容されるので、ベッド床Ｂの左右方向への揺動は、可動部分に無理な力をかけることなくスムーズに行なわれる。
【００４２】
図１〜３に示すように、ベッドフレームＦの後部には、電源に接続される元スイッチ８１、後述する足温手段、すなわち足温コタツＨＥ用コンセント８０が設けられる外、睡眠促進用ベッドを揺動制御する制御装置Ｅ、タイマーＴ１〜Ｔ１２、揺動回数記憶手段Ｋ１〜Ｋ３、目覚まし時刻記憶手段Ｋ４、現在の時刻を出力する時計手段ＣＬ、ブレーキモータ１５の回転数を可変制御するインバータなどを備えた制御盤１０、音楽、すなわちＢＧＭプレーヤー３０、ささやきプレーヤー３１が設けられる。
【００４３】
前記ベッド床Ｆは、揺動駆動手段Ｄにより、支持フレームＳに対して、前記上下方向の揺動中心軸線Ｌ１−Ｌ１まわりに左右方向に強制揺動駆動される。
【００４４】
つぎに、この揺動駆動手段Ｄの構成について、図１〜３および７〜９を参照して詳細に説明するに、支持フレームＳの中間部のクロスメンバーには、ブラケット１４を介してブレーキモータ１５が固定支持されている。このブレーキモータ１５は従来公知のものであり、インバータが接続されていて回転数を可変に制御でき、また、その停止時にはブレーキがかかるようになっている。ブレーキモータ１５の減速出力軸１６には偏心板１７が固定されている。この偏心板１７には、偏心軸１８が、偏心量を無段に調整できるように連結されている。すなわち、図８，９に示すように、偏心板１７の外面にはガイドブロック１９が固定され、このガイドブロック１９に形成した径方向のアリ溝２０に、偏心軸１８と一体のアリ凸部２１が摺動自在に嵌合されており、このアリ凸部２１に、ガイドブロック１９に回転自在に設けた調節ボルト２２が螺挿されている。したがって、この調節ボルト２２の回転制御で偏心軸１８の偏心量を調節することができる。偏心軸１８の一端には、連結棒２３の一端が回転自在に連結され、この連結棒２３の他端に、ベッド床Ｂのクロスメンバーの中央部より一体に垂下した揺動アーム２５の下端が回転自在にピン連結２４されている。ブレーキモータ１５の駆動によれば、偏心板１７、偏心軸１８、連結棒２３および揺動アーム２５を介してベッド床Ｂを所定の振幅（約１２０ｍｍ）をもって左右に揺動駆動することができ、その振幅量は、調節ボルト２２の回転制御により無段に調節可能である。また、ブレーキモータ１５の停止時には、これにブレーキがかかるため、揺動フレームＳに外力が作用しても、これが無為に揺動するのを抑止することができる。
【００４５】
図７に示すように、前記揺動アーム２５の左右には、支持フレームＳより垂下した一対の水平位置検出用近接スイッ２６ａ，２６ｂが配設されており、これらの近接スイッチ２６ａ，２６ａにより、ベッド床Ｂの位置が検出される。後述するタイマーＴ１，Ｔ５，Ｔ６による経過時間がくれば、または、揺動停止キーＳ５が押されれば、揺動スピードを減速して、これらの近接スイッチ２６ａ，２６ｂによりベッド床Ｂの位置を検出して揺動駆動用ブレーキモータ１５を停止させ、該ブレーキモータ１５にブレーキがかかり、ベッド床Ｆは水平位置を保って停止するようにされる。
【００４６】
しかして、前記水平位置検出用近接スイッチ２６ａ，２６ｂにより水平位置検出手段が構成され、また、これらの近接スイッチ２６ａ，２６ｂと、近接スイッチ２６ａ，２６ｂの検出信号で揺動駆動用ブレーキモータ１５を停止制御する制御装置Ｅとにより水平維持検知停止機構が構成され、さらに、前記ブレーキモータ１５のブレーキにより、水平位置固定手段が構成され、さらにまた、前記偏心板１７、偏心軸１８、調節ボルト２２により揺動幅調整装置Ａが構成される。
【００４７】
図１〜４に示すように、ベッド床Ｂ上の前部の左右中央には、枕ユニットＰが設けられる。この枕ユニットＰは、複数の固定金具４１をもって、ベッド床Ｂの揺動フレーム１１の前部の両側面に固定されている。
【００４８】
つぎに、この枕ユニットＰの構成を、図１，２，１０〜１２を参照して説明すると、この枕ユニットＰは、使用者Ｍの頭部Ｈを支える水平部分Ｐｈと、安眠用機器類の取り付けられる鉛直部分Ｐｖとを有して側面視Ｌ字状に形成されていて、低反発ウレタン樹脂よりなる枕本体４３の外周面を布カバーよりなる表皮４４により包覆して構成される。枕ユニットＰの鉛直部分Ｐｖの背面には出入口４５が開口され、この出入口４５を通して枕本体４３内には、軟質、ゲル状の冷却マット４６が出入れ可能に装入される。この冷却マット４６（冷蔵庫、冷凍室などで冷却して使用するものであり−２０°〜−２５°では硬くならないもの）は、軟質の袋体中に冷却剤を封入して構成される。前記出入口４５は、枕本体４３の背面に開閉自在に蝶着４８した蓋体４７により閉じられる。図１１に示すように、枕ユニットＰの表皮４４の背面には、蓋体４７を覆う開閉カバー４９がチャック５０により開閉可能に設けられており、この開閉カバー４９を開いた後、蓋体４７を開放すれば、冷却マット４６の枕ユニットＰへの出入れができる。
【００４９】
なお、冬期などの低温時には、冷却マット４６は使用しない。
【００５０】
枕ユニットＰの鉛直部分Ｐｖの左右には、対をなす芳香発生手段ＳＭ、ＢＧＭなどを発生する音楽発生手段ＭＵ、および「ささやき・やすらぎ」などの音声を発生する暗示トーク発生手段ＷＩが、それぞれ上下に縦列配置されている。前記芳香発生手段ＳＭは、セラピー香料などの芳香剤６０と、送風ファン６１とを備えており、芳香剤６０は、枕ユニットＰの上面に開口した投入口４２内に出入れ自在に収容され、送風ファン６１は、その背面に配置される。送風ファン６１の駆動によれば、芳香剤６０から発散する芳香は、枕ユニットＰの鉛直部分Ｐｖの前面に開口した発散口よりベッド床Ｆ上に向けて発散される。      
【００５１】
また、音楽発生手段ＭＵは、支持フレームＦに設けられるＢＧＭプレーヤー３０（図１参照）に接続されるスピーカー６３を備え、このスピーカー６３より流れるＢＧＭは、枕ユニットＰの鉛直部Ｐｖの前面に開口した発生口よりベッド床Ｂ上に向けて流れる。さらに、前記暗示トーク発生手段、すなわち「ささやき・やすらぎ」発生手段ＷＩは、「ささやき・やすらぎ」用プレーヤー３１（図１参照）に接続される他のスピーカー６５を備え、このスピーカー６５より発する「ささやき・やすらぎ」音声は、枕ユニットＰの鉛直部Ｐｖの前面に開口した他の発生口よりベッド床Ｂ上に向けて流れる。
【００５２】
しかして、前記音楽発生手段、すなわちＢＧＭ発生手段ＭＵは、本発明にかかる目覚まし音発生手段を構成している。
【００５３】
ベッド床Ｂの後部には、ベッド床Ｂ上の使用者Ｍの足部Ｌｅを温める足温手段ＨＥが設けられる。
【００５４】
つぎに、図１，２，１３，１４を参照してこの足温手段ＨＥの構造について説明するに、足温手段ＨＥは、この実施例では、足温コタツよりなり、その足温ボックス７１はベッド床Ｂに配置されて、複数の固定金具７０をもって揺動フレーム１１の両側面に着脱自在に固定される。足温ボックス７１は、ハードボード板により横方向に長い箱状に形成され、その前面、すなわち使用者Ｍ側に向けて足部Ｌｅの出入口７２が開口されている。足温ボックス７１の内面にはロックウールよりなる断熱材７３が裏打ちされ、その断熱材７３の内側には断熱用アルミ箔７４を介して、被覆ニクロム線よりなる、コイル状のヒータ７５が配管されている。このヒータ７５は、アルミ板７７を介して不燃布７６により覆われており、ヒータ７５からの熱は、アルミ板７７を介して不燃布７６に万遍なく伝達され、足温ボックス７１内の保温室が均等に保温されるようにされている。足の出入口７２の上部には、不燃布からなる可撓性の覆い布７８が垂下されていて、足の出入口７２を覆うようにしてある。図１，３に示すように、支持フレームＢの底部フレーム３の後端には、足温コタツＨＥのコンセント８０が設けれ、電源に接続される元スイッチ８１が設けられる（図１，３参照）。
【００５５】
図１，２，１４に鎖線に示すように、ベッド床Ｆ上に仰臥する使用者Ｍは、自己の足部Ｌｅを足温コタツＨＥの保温室内に挿入して温めることができる。
【００５６】
なお、この足温コタツＨＥは、夏期など不必要なときはベッド床Ｆより外しておく。また、図１，２において、符号ＢＬは、使用者Ｍを覆う毛布である。
【００５７】
ベッドフレームＦの前部一側にはリモコンボックス２８が設けられ、このリモコンボックス２８には、この睡眠促進用ベッドを作動制御するリモコン３２が着脱可能に収容され、この睡眠促進用ベッドの使用者Ｍはこのリモコン３２を把持して睡眠促進用ベッドを適宜操作する。
【００５８】
なお、このリモコン３２は、睡眠促進用ベッドの使用者Ｍ以外の者による操作も可能であり、たとえば介護の必要な使用者Ｍの場合などがこれに当たる。
【００５９】
図１５に示すように、リモコン３２の操作面には、下記のキーなどが設けられる。
【００６０】
ＤＳＰ：表示器
各設定数値（分、回／分）などを表示する。
【００６１】
Ｓ１  ：第１プログラムキー
第１プログラムをスタートできる。
【００６２】
Ｓ２  ：第２プログラムキー
第２プログラムをスタートできる。
【００６３】
Ｓ３  ：連動キー
第１、第２プログラムにおいて、ＢＧＭプレーヤー３０、ささやきプレーヤ            ー３１および芳香ファン６１を、ベッド床Ｂの揺動停止と同時に停止さ            せるときに押す。
【００６４】
Ｓ４  ：揺動スタートキー
ベッド床Ｂの揺動をスタートできる。
【００６５】
Ｓ５  ：揺動停止キー
ベッド床Ｂの揺動を停止することができる。また、第１、第２プログラムを            実行中に押すと全停止する。さらに、後述する目覚まし動作中に押すと全停            止する。
【００６６】
Ｓ６  ：ＢＧＭスタートキー
ＢＧＭプレーヤー３０をスタートすることができる。
【００６７】
Ｓ７  ：ＢＧＭ停止キー
ＢＧＭプレーヤー３０を停止することができる。
【００６８】
Ｓ８  ：ささやきスタートキー
ささやきプレーヤー３１をスタートすることができる。
【００６９】
Ｓ９  ：ささやき停止キー
ささやきプレーヤー３１を停止することができる。
【００７０】
ＶＲ１：ＢＧＭ音量調整器
ＢＧＭスピーカー６３の音量を調整するときに操作する。
【００７１】
ＶＲ２：ささやき音量調整器
ささやきプレーヤー６５の音量を調整するときに操作する。
【００７２】
Ｓ１０：芳香スタートキー
芳香ファン６１を稼働することができる。
【００７３】
Ｓ１１：芳香停止キー
芳香ファン６１を停止することができる。
【００７４】
Ｓ１２：足温コタツ「入」キー
足温コタツＨＥを入りにできる。
【００７５】
Ｓ１３：足温コタツ「切」キー
足温コタツＨＥを切りにできる。
【００７６】
Ｓ１４：増加キー
設定する数値を増加させることができる。
【００７７】
Ｓ１５：減少キー
設定する数値を減少させることができる。
【００７８】
Ｓ１６：揺動時間キー
ベッド床Ｂが揺動する揺動稼働時間ｔ１，ｔ５，ｔ９を設定するときに押す            。
【００７９】
Ｓ１７：ＢＧＭ時間キー
ＢＧＭプレーヤー３０が稼働するＢＧＭ稼働時間ｔ２，ｔ６，ｔ１０を設定            するときに押す。
【００８０】
Ｓ１８：ささやき時間キー
ささやきプレーヤー３１が稼働するささやき稼働時間ｔ３，ｔ７，ｔ１１              を設定するときに押す。
【００８１】
Ｓ１９：芳香時間キー
芳香ファン６１が稼働する芳香ファン稼働時間ｔ４，ｔ８，ｔ１２を設定す            るときに押す。
【００８２】
Ｓ２０：揺動回数キー
ベッド床Ｆの揺動回数ｋ１，ｋ２，ｋ３（回／分）を設定するときに押す            。
【００８３】
Ｓ２１：設定キー
各種設定を始めるときに押す。
【００８４】
Ｓ２２：決定キー
各種設定値を決定するときに押す。
【００８５】
Ｓ２３：クリアキー
設定時のキー入力をクリアーするときに押す。
【００８６】
Ｓ２４：目覚まし「入」キー
目覚まし時刻を設定することができる。
【００８７】
Ｓ２５：時キー                                                                            目覚まし時刻を表示器ＤＳＰに表示させることができる。
【００８８】
Ｓ２６：分キー
目覚まし時刻の分を変更するときに押す。
【００８９】
しかして、前記目覚まし「入」キーＳ２４、時キーＳ２５、分キーＳ２６、増加キー１４、減少キーＳ１５、表示器ＤＳＰが協働して、本発明にかかる目覚まし時刻設定手段を構成する。
【００９０】
つぎに、タイマーＴ１〜Ｔ１２、および揺動回数記憶手段Ｋ１〜Ｋ３について説明する。
【００９１】
Ｔ１  ：タイマー
揺動スタートキーＳ４が押されたときに揺動実稼働時間を検出する。
【００９２】
Ｔ２  ：タイマー
ＢＧＭスタートキーＳ６が押されたときにＢＧＭ実稼働時間を検出する。
【００９３】
Ｔ３  ：タイマー
ささやきスタートキーＳ８が押されたときにささやき実稼働時間を検出する            。
【００９４】
Ｔ４  ：タイマー
芳香スタートキーＳ１０が押されたときに芳香ファン実稼働時間を検出する            。
【００９５】
Ｔ５  ：タイマー
第１プログラムキーＳ１が押されたときに揺動実稼働時間を検出する。
【００９６】
Ｔ６  ：タイマー
第１プログラムキーＳ１が押されたときにＢＧＭ実稼働時間を検出する。
【００９７】
Ｔ７  ：タイマー
第１プログラムキーＳ１が押されたときにささやき実稼働時間を検出する。      
【００９８】
Ｔ８  ：タイマー
第１プログラムキーＳ１が押されたときに芳香ファン実稼働時間を検出する            。
【００９９】
Ｔ９  ：タイマー
第２プログラムキーＳ２が押されたときに揺動実稼働時間を検出する。
【０１００】
Ｔ１０：タイマー
第２プログラムキーＳ２が押されたときにＢＧＭ実稼働時間を検出する。
【０１０１】
Ｔ１１：タイマー
第２プログラムキーＳ２が押されたときにささやき実稼働時間を検出する。      
【０１０２】
Ｔ１２：タイマー
第２プログラムキーＳ２が押されたときに芳香ファン実稼働時間を検出する            。
【０１０３】
Ｋ１  ：揺動回数記憶手段
揺動スタートキーＳ４が押されたときの揺動回数ｋ１を記憶する。
【０１０４】
Ｋ２  ：揺動回数記憶手段
第１プログラムキーＳ１が押されたときの揺動回数ｋ２を記憶する。
【０１０５】
Ｋ３  ：揺動回数記憶手段
第２プログラムキーＳ２が押されたときの揺動回数ｋ３を記憶する。
【０１０６】
Ｋ４  ：目覚まし時刻記憶手段
目覚まし時刻ｋ４を記憶する。
【０１０７】
つぎに、各種時間、揺動回数を設定する手順について説明する。
【０１０８】
まず、各タイマーＴ１〜Ｔ１２に設定された時間ｔ１〜ｔ１２が「０００」のときについて説明する。
【０１０９】
タイマーＴ１の揺動稼働時間ｔ１に「０００」を設定すると、揺動スタートキーＳ４が押されたときに、ベッド床Ｂの揺動は、連続稼働する。
【０１１０】
タイマーＴ２のＢＧＭ稼働時間ｔ２に「０００」を設定すると、ＢＧＭスタートキーＳ６が押されたときに、ＢＧＭプレーヤー３０は、連続稼働する。
【０１１１】
タイマーＴ３のささやき稼働時間ｔ３に「０００」を設定すると、ささやきスタートキーＳ８が押されたときに、ささやきプレーヤー３１は、連続稼働する。
【０１１２】
タイマーＴ４の芳香ファン稼働時間ｔ４に「０００」を設定すると、芳香スタートキーＳ１０が押されたときに、芳香ファン６１は、連続稼働する。
【０１１３】
タイマーＴ５の揺動稼働時間ｔ５に「０００」を設定すると、連動キーＳ３が押されずに第１プログラムキーＳ１が押されたときに、ベッド床Ｂは揺動しない。
【０１１４】
タイマーＴ６のＢＧＭ稼働時間ｔ６に「０００」を設定すると、連動キーＳ３が押されずに第１プログラムキーＳ１が押されたときに、ＢＧＭプレーヤー３０は稼働しない。
【０１１５】
タイマーＴ７のささやき稼働時間ｔ７に「０００」を設定すると、連動キーＳ３が押されずに第１プログラムキーＳ１が押されたときに、ささやきＢＧＭプレーヤー３１は稼働しない。
【０１１６】
タイマーＴ８の芳香ファン稼働時間ｔ８に「０００」を設定すると、連動キーＳ３が押されずに第１プログラムキーＳ１が押されたときに、芳香ファン６１は稼働しない。
【０１１７】
タイマーＴ９の揺動稼働時間ｔ９に「０００」を設定すると、連動キーＳ３が押されずに第２プログラムキーＳ２が押されたときに、ベッド床Ｂは揺動しない。
【０１１８】
タイマーＴ１０のＢＧＭ稼働時間ｔ１０に「０００」を設定すると、連動キーＳ３が押されずに第２プログラムキーＳ２が押されたときに、ＢＧＭプレーヤー３０は稼働しない。
【０１１９】
タイマーＴ１１のささやき稼働時間ｔ１１に「０００」を設定すると、連動キーＳ３が押されずに第２プログラムキーＳ２が押されたときに、ささやきプレーヤー３１は稼働しない。
【０１２０】
タイマーＴ１２の芳香ファン稼働時間ｔ１２に「０００」を設定すると、連動キーＳ３が押されずに第２プログラムキーＳ２が押されたときに、芳香ファン６１は稼働しない。
【０１２１】
なお、連動キーＳ３が押されてから、第１プログラムキーＳ１、または第２プログラムキーＳ３が押されたときは、後述する「操作の説明」に記載する。
【０１２２】
１．揺動スタートＳ４を押したときの揺動稼働時間ｔ１を設定する手順
(1) 設定キーＳ２１を押す。これにより、表示器ＤＳＰに「設定」が表示される。
【０１２３】
(2) つぎに、揺動時間キーＳ１６を押す。これにより、タイマーＴ１に現在設定させている揺動稼働時間ｔ１が、表示器ＤＳＰに表示される。たとえば、現在設定させている揺動稼働時間ｔ１が９０分の場合に、表示器ＤＳＰに「揺動稼働時間設定：０９０分」が表示される。
【０１２４】
(3) つぎに、増加キーＳ１４、または減少キーＳ１５を押して、表示器ＤＳＰに希望する揺動稼働時間を表示させる。たとえば、希望する揺動稼働時間が１２０分の場合は、増加キーＳ１４を押して、表示器ＤＳＰに「揺動稼働時間設定：１２０分」を表示させる。      
【０１２５】
(4) つぎに、決定キーＳ２２を押す。これにより、表示器ＤＳＰの表示が消える。
【０１２６】
以上により、(3) で表示した時間が、タイマーＴ１の揺動稼働時間ｔ１に設定される。たとえば、揺動稼働時間ｔ１は１２０分に更新される。
【０１２７】
２．ＢＧＭスタートキーＳ６を押したときのＢＧＭ稼働時間ｔ２を設定する手順
(1) 設定キーＳ２１を押す。これにより、表示器ＤＳＰに「設定」が表示される。
【０１２８】
(2) つぎに、ＢＧＭ時間キー１７を押す。これにより、タイマーＴ２に現在設定させているＢＧＭ稼働時間ｔ２が、表示器ＤＳＰに表示される。たとえば、現在設定させているＢＧＭ稼働時間ｔ２が８０分の場合は、表示器ＤＳＰに「ＢＧＭ稼働時間設定：０８０分」が表示される。
【０１２９】
(3) つぎに、増加キーＳ１４、または減少キーＳ１５を押して、表示器ＤＳＰに希望するＢＧＭ稼働時間を表示させる。たとえば、希望するＢＧＭ稼働時間が１１０分の場合は、増加キーＳ１４を押して、表示器ＤＳＰに「ＢＧＭ稼働時間設定：１１０分」を表示させる。
【０１３０】
(4) つぎに、決定キーＳ２２を押す。これにより、表示器ＤＳＰの表示が消える。
【０１３１】
以上により、(3) で表示した時間が、タイマーＴ２のＢＧＭ稼働時間ｔ２に設定される。たとえば、ＢＧＭ稼働時間ｔ２は１１０分に更新される。
【０１３２】
３．ささやきスタートキーＳ８を押したときのささやき稼働時間ｔ３を設定する手順
(1) 設定キーＳ２１を押す。これにより、表示器ＤＳＰに「設定」が表示される。
【０１３３】
(2) つぎに、ささやき時間キーＳ１８を押す。これにより、タイマーＴ３に現在設定させているささやき稼働時間ｔ３が、表示器ＤＳＰに表示される。たとえば、現在設定させているささやき稼働時間ｔ３が７０分の場合は、表示器ＤＳＰに「ささやき稼働時間設定：０７０分」が表示される。
【０１３４】
(3) つぎに、増加キーＳ１４、または減少キーＳ１５を押して、表示器ＤＳＰに希望するささやき稼働時間を表示させる。たとえば、希望するささやき稼働時間が１００分の場合は、増加キーＳ１４を押して、表示器ＤＳＰに「ささやき稼働時間設定：１００分」を表示させる。
【０１３５】
(4) つぎに、決定キーＳ２２を押す。これにより、表示器ＤＳＰの表示が消える。
【０１３６】
以上により、(3) で表示した時間が、タイマーＴ３のささやき稼働時間ｔ３に設定される。たとえば、ささやき稼働時間ｔ３は１００分に更新される。
【０１３７】
４．芳香スタートキーＳ１０を押したときの芳香ファン稼働時間ｔ４を設定する手順
(1) 設定キーＳ２１を押す。これにより、表示器ＤＳＰに「設定」が表示される。
【０１３８】
(2) つぎに、芳香時間キーＳ１９を押す。これにより、タイマーＴ４に現在設定させている芳香ファン稼働時間ｔ４が、表示器ＤＳＰに表示される。たとえば、現在設定させている芳香ファン稼働時間ｔ４が６０分の場合は、表示器ＤＳＰに「芳香ファン稼働時間設定：０６０分」が表示される。
【０１３９】
(3) つぎに、増加キーＳ１４、または減少キーＳ１５を押して、表示器ＤＳＰに希望する芳香ファン稼働時間を表示させる。たとえば、希望する芳香ファン稼働時間が９０分の場合は、増加キーＳ１４を押して、表示器ＤＳＰに「芳香ファン稼働時間設定：０９０分」を表示させる。
【０１４０】
(4) つぎに、決定キーＳ２２を押す。これにより、表示器ＤＳＰの表示が消える。
【０１４１】
以上により、(3) で表示した時間が、タイマーＴ４の芳香ファン稼働時間ｔ４に設定される。たとえば、芳香ファン稼働時間ｔ４は９０分に更新される。
【０１４２】
４．揺動スタートキーＳ４を押したときの揺動回数ｋ１を設定する手順
(1) 設定キーＳ２１を押す。これにより、表示器ＤＳＰに「設定」が表示される。
【０１４３】
(2) つぎに、揺動回数キーＳ２０を押す。これにより、揺動回数器記憶手段Ｋ１に現在設定させている揺動回数ｋ１が、表示器ＤＳＰに表示される。たとえば、現在設定させている揺動回数ｋ１が１０回／分の場合は、「揺動回数設定：０１０回／分」が表示される。
【０１４４】
(3) つぎに、増加キー１４、または減少キー１５を押して、表示器ＤＳＰに希望する揺動回数を表示させる。たとえば、希望する揺動回数が７回／分の場合、減少キーＳ１５を押して、表示器ＤＳＰに「揺動回数設定：７回／分」を表示させる。
【０１４５】
(4) つぎに、決定キーＳ２２を押す。これにより、表示器ＤＳＰの表示が消える。
【０１４６】
以上により、(3) で表示した回数が、揺動回数記憶手段Ｋ１に揺動回数ｋ１として設定される。たとえば、揺動回数ｋ１は７回／分に更新される。
【０１４７】
５．第１プログラムキーＳ１を押したときの、揺動稼働時間ｔ５、ＢＧＭ稼働時間ｔ６、ささやき稼働時間ｔ７、芳香ファン稼働時間ｔ８および揺動回数ｋ２を設定する手順
(1) 設定キーＳ２１を押す。これにより、表示器ＤＳＰに「設定」が表示される。
【０１４８】
(2) つぎに、プログラムキーＳ１を押す。これにより「第１プログラム設定」が表示器ＤＳＰに表示される。
【０１４９】
(3) つぎに、揺動時間キー１６を押す。これにより、タイマーＴ５に現在設定させている揺動稼働時間ｔ５が表示器ＤＳＰに表示される。たとえば、現在設定させている揺動稼働時間ｔ５が９０分に場合は、「揺動稼働時間設定：０９０分」が表示される。
【０１５０】
(4) つぎに、増加キーＳ１４または減少キーＳ１５を押して、表示器ＤＳＰに希望する揺動稼働時間を表示させる。たとえば、希望する揺動稼働時間が１２０分に場合は、増加キーＳ１４を押して、表示器ＤＳＰに「揺動稼働時間設定：１２０分」を表示させる。
【０１５１】
(5) つぎに、ＢＧＭ時間キーＳ１７を押す。これにより、タイマーＴ６に現在設定させているＢＧＭ稼働時間ｔ６が表示器ＤＳＰに表示される。たとえば、現在設定させているＢＧＭ稼働時間ｔ６が８０分に場合は、「ＢＧＭ稼働時間設定：０８０分」が表示される。
【０１５２】
(6) つぎに、増加キーＳ１４または減少キーＳ１５を押して、表示器ＤＳＰに希望するＢＧＭ稼働時間を表示させる。たとえば、希望するＢＧＭ稼働時間が１１０分に場合は、増加キーＳ１４を押して、表示器ＤＳＰに「ＢＧＭ稼働時間設定：１１０分」を表示させる。
【０１５３】
(7) つぎに、ささやき時間キーＳ１８を押す。これにより、タイマーＴ７に現在設定させているささやき稼働時間ｔ７が表示器ＤＳＰに表示される。たとえば、現在設定させているささやき稼働時間ｔ７が７０分に場合は、「ささやき稼働時間設定：０７０分」が表示される。  
【０１５４】
(8) つぎに、増加キーＳ１４または減少キーＳ１５を押して、表示器ＤＳＰに希望するささやき稼働時間を表示させる。たとえば、希望するささやき稼働時間が１００分に場合は、増加キーＳ１４を押して、表示器ＤＳＰに「ささやき稼働時間設定：１００分」を表示させる。
【０１５５】
(9) つぎに、芳香時間キーＳ１９を押す。これにより、タイマーＴ８に現在設定させている芳香ファン稼働時間ｔ８が表示器ＤＳＰに表示される。たとえば、現在設定させている芳香ファン稼働時間ｔ８が６０分に場合は、「芳香ファン稼働時間設定：０６０分」が表示される。  
【０１５６】
(10)つぎに、増加キーＳ１４または減少キーＳ１５を押して、表示器ＤＳＰに希望する芳香ファン稼働時間を表示させる。たとえば、希望する芳香ファン稼働時間が９０分の場合は、増加キーＳ１４を押して、表示器ＤＳＰに「芳香ファン稼働時間設定：０９０分」を表示させる。  
【０１５７】
(11)つぎに、揺動回数キーＳ２０を押す。これにより、揺動回数記憶手段Ｋ２に現在設定させている揺動回数ｋ２が、表示器ＤＳＰに表示される。たとえば現在設定させている揺動回数ｋ２が１０回／分の場合は、「揺動回数設定：０１０回／分」が表示される。
【０１５８】
(12)つぎに、増加キーＳ１４または減少キーＳ１５を押して、表示器ＤＳＰに希望する揺動回数を表示させる。たとえば、希望する揺動回数が７回／分の場合は、減少キーＳ１５を押して、表示器ＤＳＰに「揺動回数設定：７回／分」を表示させる。
【０１５９】
(13)つぎに、決定キーＳ２２を押す。これにより、表示器ＤＳＰの表示が消える。
【０１６０】
以上により、(4) で表示した時間が、タイマーＴ５の揺動稼働時間ｔ５に設定され、(6) で表示した時間が、タイマー６のＢＧＭ稼働時間ｔ６に設定され、(8) で表示した時間が、タイマーＴ７のささやき稼働時間ｔ７に設定され、(10)で表示した時間が、タイマーＴ８の芳香ファン稼働時間ｔ８に設定され、(12)で表示した回数が、揺動回数記憶手段Ｋ２に揺動回数ｋ２として設定される。
【０１６１】
たとえば、揺動稼働時間ｔ５は１２０分、ＢＧＭ稼働時間ｔ６は１１０分、ささやき稼働時間ｔ７は１００分、芳香ファン稼働時間ｔ８は９０分、揺動回数ｋ２は７回／分にそれぞれ更新される。
【０１６２】
６．第２プログラムキーＳ２を押したときの、揺動稼働時間ｔ９、ＢＧＭ稼働時間ｔ１０、ささやき稼働時間ｔ１１、芳香ファン稼働時間ｔ１２および揺動回数ｋ３を設定する手順
この場合、前記５．における(2) で、第１プログラムキーＳ１を押すに代えて第１プログラムキーＳ２を押す以外は、前記５と同じである。
【０１６３】
なお、この場合において、(2) に「第１」とあるを「第２」に、また(3) に「Ｔ５」、「Ｔ９」とあるを、それぞれ「ｔ５」、「ｔ９」に、また、(5) に「Ｔ６」、「ｔ６」とあるを、それぞれ「Ｔ１０」、「ｔ１０」に、また、(7) に「Ｔ７」、「ｔ７」とあるを、「Ｔ１１」、「ｔ１１」に、(9) に「Ｔ８」、「ｔ８」とあるを、それぞれ「Ｔ１２」、「ｔ１２」に、また、(11)に「Ｋ２」、「ｋ２」とあるを、それぞれ「Ｋ３」、「ｋ３」に読み替えるものとする。
【０１６４】
以上により、(4) で表示した時間が、タイマーＴ９の揺動稼働時間ｔ９に設定され、(6) で表示した時間がタイマー１０のＢＧＭ稼働時間ｔ１０に設定され、(8) で表示した時間が、タイマーＴ１１のささやき稼働時間ｔ１１に設定され、(10)で表示した時間が、タイマーＴ１２の芳香ファン稼働時間ｔ１２に設定され、(12)で表示した回数が、揺動回数記憶手段Ｋ３に揺動回数ｋ３として設定される。
【０１６５】
７．目覚まし時刻記憶手段Ｋ４に目覚まし時刻ｋ４を記憶させる手順
(1) 時キーＳ２５を押す。これにより、目覚まし時刻記憶手段Ｋ４が現在記憶している目覚まし時刻ｋ４が表示器ＤＳＰに表示される。たとえば、現在記憶している目覚まし時刻ｋ４が、午前６時００分の場合は、表示器ＤＳＰに「目覚まし時刻０６：００」が表示される。
【０１６６】
(2) つぎに、設定キー２１を押す。
【０１６７】
(3) つぎに増加キーＳ１４、また減少キーＳ１５を押して、表示器ＤＳＰに希望する目覚まし時刻の「時」を表示させる。たとえば、希望する目覚まし時刻が午前５時３０分の場合、減少キーＳ１５を押して、表示器ＤＳＰに「目覚まし時刻０５：００」を表示させる。
【０１６８】
(4) つぎに、分キーＳ２６を押す。
【０１６９】
(5) つぎに、増加キーＳ１４、または減少キーＳ１５を押して、表示器ＤＳＰに希望する目覚まし時刻の「分」を表示させる。たとえば、希望する目覚まし時刻が午前５時３０分の場合、増加キー１４を押して、表示器ＤＳＰに「目覚時刻０５：３０」を表示させる。
【０１７０】
以上により、前記(5) で表示した目覚まし時刻が目覚まし時刻ｋ４として、記憶される。
【０１７１】
つぎに、リモコン３２による睡眠促進用ベッドの稼働操作について説明する。
【０１７２】
〔複数スタートの場合〕
１．第１プログラムを実行するとき
第１プログラムキーＳ１を押すと、ベッド床Ｂが揺動回数ｋ２の揺動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「第１プログラム」が表示される。これにより、使用者Ｍが睡眠に入るのを促進するための睡眠促進動作が行われる。
【０１７３】
そして、第１プログラムキーＳ１を押したときから、芳香ファン稼働時間ｔ８が経過すると、芳香ファン６１が停止し、ささやき稼働時間ｔ７が経過すると  ささやきプレーヤー３１が停止し、ＢＧＭ稼働時間ｔ６が経過するとＢＧＭプレーヤー３０が停止し、揺動稼働時間ｔ５が経過するとベッド床Ｆの揺動が停止する。そして、すべてが停止すると、表示器ＤＳＰの「第１プログラム」表示が消える。
【０１７４】
２．第２プログラムを実行するとき
第２プログラムキーＳ２を押すと、ベッド床Ｂが揺動回数ｋ３の揺動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「第２プログラム」が表示される。これにより、使用者Ｍが睡眠に入るのを促進するための睡眠促進動作が行われる。
【０１７５】
そして、第２プログラムキーＳ２を押したときから、芳香ファン稼働時間ｔ１２が経過すると、芳香ファン６１が停止し、ささやき稼働時間ｔ１１が経過すると、ささやきプレーヤー３１が停止し、ＢＧＭ稼働時間ｔ１０が経過するとＢＧＭプレーヤー３０が停止し、揺動稼働時間ｔ９が経過するとベッド床Ｆの揺動が停止する。
【０１７６】
そして、すべてが停止すると、表示器ＤＳＰの「第２プログラム」の表示が消える。
【０１７７】
３．連動第１プログラムを実行するとき
連動キーＳ３を押してから第１プログラムキーＳ１を押すと、ベッド床Ｆが揺動回数ｋ２の揺動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「連動第１プログラム」が表示される。これにより、使用者Ｍが睡眠に入るのを促進するための睡眠促進動作が行われる。
【０１７８】
そして、第１プログラムキーＳ１を押したときから、揺動稼働時間ｔ５が経過すると、ベッド床Ｂの揺動、ＢＧＭプレーヤー３０、ささやきプレーヤー３１および芳香ファン６１が停止し、表示器ＤＳＰの「連動第１プログラム」表示が消える。
【０１７９】
たとえば、揺動稼働時間ｔ５に１２０分が設定され、ＢＧＭ稼働時間ｔ６に１１０分が設定されている場合、ＢＧＭプレーヤー３０は、揺動稼働時間ｔ５に設定されている１２０分を経過すると停止する。また揺動稼働時間ｔ５に１２０分が設定され、ＢＧＭ稼働時間ｔ６に「０００」が設定されている場合、連動キーＳ３を押してから第１プログラムキーＳ１を押すと、ＢＧＭプレーヤー３０は稼働を始めて、ＢＧＭが流れる。そして、ＢＧＭプレーヤー３０は、揺動稼働時間ｔ５に設定されている１２０分が経過すると停止する。
【０１８０】
４．連動第２プログラムを実行するとき
連動キーＳ３を押してかられ第２プログラムキーＳ２を押すと、ベッド床Ｂが揺動回数ｋ３の揺動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「連動第２プログラム」が表示される。これにより、使用者Ｍが睡眠に入るのを促進するための睡眠促進動作が行われる。
【０１８１】
そして、第２プログラムキーＳ１を押したときから、揺動稼働時間ｔ１０が経過すると、ベッド床Ｆの揺動、ＢＧＭプレーヤー３０、ささやきプレーヤー３１および芳香ファン６１が停止し、表示器ＤＳＰの「連動第２プログラム」表示が消える。
【０１８２】
たとえば、揺動稼働時間ｔ９に９０分が設定され、ＢＧＭ稼働時間ｔ１０に８０分が設定されている場合、ＢＧＭプレーヤー３０は、揺動稼働時間ｔ９に設定されている９０分を経過すると停止する。また揺動稼働時間ｔ９に９０分が設定され、ＢＧＭ稼働時間ｔ１０に「０００」が設定されている場合、連動キーＳ３を押してから第２プログラムキーＳ２を押すと、ＢＧＭプレーヤー３０は稼働を始めて、ＢＧＭが流れる。そして、ＢＧＭプレーヤー３０は、揺動稼働時間ｔ９に設定されている９０分が経過すると停止する。
【０１８３】
〔単数スタートの場合〕
１．ベッド床Ｂを揺動させるとき
(1) 揺動スタートキーＳ４を押すと、ベッド床Ｂが揺動回数ｋ１の揺動を始め、また表示器ＤＳＰに「揺動」が表示される。これにより、使用者Ｍが睡眠に入るのを促進するための睡眠促進動作が行われる。
【０１８４】
(2) そして、揺動スタートキーＳ４を押したときから、揺動稼働時間ｔ１が経過すると、ベッド床Ｂの揺動が停止し、また表示器ＤＳＰの「揺動」表示が消える。
【０１８５】
なお、揺動稼働時間ｔ１の設定が「０００」のときは、前記(1) の表示器ＤＳＰに「連続揺動」が表示される。つぎに、揺動停止キーＳ５を押すと、ベッド床Ｂの揺動が停止し、また表示器ＤＳＰの「連続揺動」表示が消える。
【０１８６】
２．ＢＧＭを流すとき
(1) ＢＧＭスタートキーＳ６を押すと、ＢＧＭプレーヤー３０が稼働を始めてＢＧＭが流れ、また表示器ＤＳＰに「ＢＧＭ」が表示される。これにより、使用者Ｍが睡眠に入るのを促進するための睡眠促進動作が行われる。
【０１８７】
(2) そして、ＢＧＭスタートキーＳ６を押したときから、ＢＧＭ稼働時間ｔ２が経過すると、ＢＧＭプレーヤー３０が停止し、また表示器ＤＳＰの「ＢＧＭ」表示が消える。
【０１８８】
なお、ＢＧＭ稼働時間ｔ２の設定が「０００」のときは、前記(1) の表示器ＤＳＰに「連続ＢＧＭ」が表示される。つぎに、ＢＧＭ停止キーＳ７を押すと、ＢＧＭプレーヤー３０が停止し、また表示器ＤＳＰの「連続ＢＧＭ」表示が消える。
【０１８９】
３．「ささやき」を流すとき
(1) ささやきスタートキーＳ８を押すと、ささやきプレーヤー３１が稼働を始めて「ささやき」が流れ、また表示器ＤＳＰに「ささやき」が表示される。これにより、使用者Ｍが睡眠に入るのを促進するための睡眠促進動作が行われる。
【０１９０】
(2) そして、ささやきスタートキーＳ８を押したときから、ささやき稼働時間ｔ３が経過すると、ささやきプレーヤ３１が停止し、また表示器ＤＳＰの「ささやき」表示が消える。
【０１９１】
なお、ささやき稼働時間ｔ３の設定が「０００」のときは、前記(1) の表示器ＤＳＰに「連続ささやき」が表示される。つぎに、ささやき停止キーＳ９を押すと、ささやきプレーヤー３０が停止し、また表示器ＤＳＰの「連続ささやき」表示が消える。
【０１９２】
４．芳香を薫らせるとき
(1) 芳香スタートキーＳ１０を押すと、芳香ファン６１が稼働を始めて芳香剤の揮発性成分の拡散が始まり、また表示器ＤＳＰに「芳香」が表示される。これにより、使用者Ｍが睡眠に入るのを促進するための睡眠促進動作が行われる。
【０１９３】
(2) そして、芳香スタートキーＳ１０を押したときから、芳香ファン稼働時間ｔ４が経過すると、芳香ファン６１が停止し、また表示器ＤＳＰの「芳香」表示が消える。
【０１９４】
なお、芳香ファン稼働時間ｔ４の設定が「０００」のときは、前記(1) の表示器ＤＳＰに「連続芳香」が表示される。つぎに、芳香停止キーＳ１１を押すと、芳香ファン６１が停止し、また表示器ＤＳＰの「連続芳香」表示が消える。
【０１９５】
５．足温コタツを入りにするとき
足温コタツ「入」キーＳ１２を押すと、足温コタツＨＥへの通電が始まり、また表示器ＤＳＰに「足温コタツ」が表示される。これにより、使用者Ｍが睡眠に入るのを促進するための睡眠促進動作が行われる。
【０１９６】
足温コタツ「切」キーＳ１３を押すと、足温コタツＨＥへの通電が停止し、また表示器ＤＳＰの「足温コタツ」表示が消える。
【０１９７】
なお、足温コタツ「入」キーＳ１２および足温コタツ「切」キーＳ１３は他のキーＳ１〜Ｓ１１の操作に関係なく、足温コタツＨＥへの通電と通電停止を行うことができる。
【０１９８】
〔単数スタートで、複数のものが稼働している状態にする場合〕
揺動スタートキーＳ４、ＢＧＭスタートキーＳ６、ささやきスタートキーＳ８、芳香スタートキーＳ１０は、それらの複数を押して  それらの複数が稼働している状態にすることができる。たとえば、揺動スタートキーＳ４とＢＧＭスタートキーＳ６とを押すと、ベッド床Ｂが揺動し、ＢＧＭプレーヤー３０が稼働してＢＧＭが流れる状態にすることができる。これにより、使用者Ｍが睡眠に入るのを促進するための睡眠促進動作が行われる。
【０１９９】
〔目覚まし動作を行う場合〕
(1) 時キーＳ２５を押す。これにより、目覚まし時刻記憶手段Ｋ４が現在記憶している目覚まし時刻ｋ４が表示器ＤＳＰに表示される。たとえば、現在記憶している目覚まし時刻ｋ４が午前６時００の場合は、表示器ＤＳＰに「目覚時刻０６：００」が表示される。      
【０２００】
(2) つぎに、希望する目覚まし時刻が前記(1) で表示器ＤＳＰに表示された時刻と同じときは、目覚まし「入」キーＳ２４を押す。これにより、前記(1) で表示器ＤＳＰに表示された時刻が、目覚まし時刻として設定される。たとえば、前記(1) で表示器ＤＳＰに表示された「目覚ま時刻０６：００」が目覚まし時刻として設定される。
【０２０１】
(3) 前記(2) において、希望する目覚まし時刻が前記(1) で表示器ＤＳＰに表示された時刻と相違するときは、前述の「７．目覚まし時刻記憶手段Ｋ４に目覚まし時刻ｋ４を記憶させる手順」で希望する目覚まし時刻を表示器ＤＳＰに表示させてから、目覚まし「入」キーＳ２４を押す。これにより、目覚まし「入」キーＳ２４を押す直前に表示器ＤＳＰに表示された時刻が目覚まし時刻として設定される。
【０２０２】
(4) 前記(2) または(3) で目覚まし「入」キーが押されて目覚まし時刻が設定されると、その設定された目覚まし時刻が表示器ＤＳＰに表示され続ける。
【０２０３】
(5) そして、時計手段ＣＬが出力する現在時刻が、設定された目覚まし時刻になると、ブレーキモータ１５が駆動を始めてベット床Ｆが揺動を始めると共にＢＧＭプレーヤー３０が稼働を始めてＢＧＭが流れる目覚まし動作が行われる。この目覚まし動作のときの、ベッド床Ｂの揺動速度は、通常、睡眠促進動作のときよりも速い速度に設定されている。たとえば、睡眠促進動作時のベッド床Ｂの揺動速度は１０回／分であるのに対し目覚まし動作時のベッド床Ｂの揺動速度は２０回／分のように設定される。
【０２０４】
(6) 前記目覚まし動作により、睡眠から目覚めた使用者Ｍ、または、使用者Ｍの目覚めを確認した第３者、たとえば介護者は揺動停止キーＳ５を押して目覚まし動作を停止させる。これにより、表示器ＤＳＰに表示された目覚まし時刻が消える。
【０２０５】
つぎに、本発明にかかる睡眠促進用ベッドを使用する手順について説明する。
【０２０６】
使用者Ｍは、ベッド床Ｂ上に仰起する前に下記の操作を順に行う。
【０２０７】
(1) 前記枕ユニットＰ内に予め冷やしてある冷却マット４６を挿入して、頭部Ｈを冷やせる状態に整える。
【０２０８】
(2) 枕ユニットＰの上部の投入口４２に、セラピー香料などの揮発性のある芳香剤６０を差し入れる。
【０２０９】
(3) つぎに、就寝する前に、リモコン３２を操作して、空床の状態で、ベッド床Ｂの揺動回数、揺動速度、揺動角度を自分の目安となる値に調整する。
【０２１０】
(4) つぎに使用者Ｍは、ベッド床Ｂ上への乗降を繰り返してベッド床Ｂの揺動回数、揺動速度、揺動角度を最適な値に調整する。
【０２１１】
このような調整は最初は手間取るが、一度最適値を設定すれば、その後は大幅な調整はしないで済む。
【０２１２】
(5) 以上の調整が済んだら、使用者Ｍは、図１に示すように、ベッド床Ｂ上に仰臥して、毛布ＢＬを掛け、リモコンスイッチ３２にて、揺動稼働時間（たとえば９０分あるいは１２０分）を設定したのち、たとえば第１プログラムキーＳ１押すと、ベッド床Ｂは、前記設定値に基づきゆるやかな揺動運動を繰り返す。
【０２１３】
なお、目覚まし動作を行わせる場合は、前述の「目覚まし動作を行う場合」に記載の操作を行って目覚まし時刻を設定してから、たとえば、第１プログラムキーＳ１を押す。
【０２１４】
ところで、この第１実施例によれば、ベッド床Ｂの揺動中心軸線Ｌ１−Ｌ１は、使用者Ｍの頭部Ｈを上下方向に通過しているので、使用者Ｍの頭部Ｈの上下方向の揺動は殆どない状態で、ベッド床Ｂは左右に揺れ、身体も揺らいだ状態となり、使用者Ｍに、短時間のうちに心地よい睡眠を促すことができる。
【０２１５】
図４には、ベッド床Ｂの揺動態様の具体例が示される。この具体例によれば、ベッド床Ｂの揺動中心軸線Ｌ１−Ｌ１は、使用者Ｍの頭部Ｈの中心Ｈｃを上下方向に通過しており、ローラ３９，３９が、ベッド床Ｂの前後方向の中心軸線Ｌ２−Ｌ２から左右へそれぞれ約６０ｍｍずつ動く（合計約１２０ｍｍ）ようになっており、したがって、使用者Ｍの踵では、前後方向の中心軸線Ｌ２−Ｌ２から左右へそれぞれ約５０ｍｍ（合計約１００ｍｍ）ずつ動くようになっている。
【０２１６】
ところで、就寝の準備を整えた使用者Ｍは、ベッド床Ｂ上に仰臥し、頭部Ｈを枕ユニットＰの冷却マット４６で冷しながら、ＢＧＭ発生手段ＭＵのスピーカー６３から流れる自分の好みにあった軽いメロディーを聞きながら、芳香発生手段ＳＭから発生している芳香を嗅ぎ、その耳元に、暗示トーク発生手段、すなわち「やすらぎ・ささやき」発生手段により、使用者Ｍの嬉しかった事や甘い思い出や、本人の得意なスポーツや趣味などを、事前のアンケート調査により、選択した事例のエッセンスを優しくまとめ、男性の場合は女性、女性の場合は男性と、お互いに異性の方の熟練者のトークを効果的にささやくように編集されたテープにて、スピーカー６５から流し、特に本人をうぬぼれさせるような、たとえば、“貴方は美男子だから、若い女性にもてることでしょう”など気持ちが高揚し楽しくなるトークがささやかれれば、一時のストレスの解消に大いに役立ち、睡眠を促すことができる。
【０２１７】
以上のように、自分に最も適した揺動幅、揺動回数を選択し、好みの芳香を嗅ぎ、聞き慣れたＢＧＭと、時々嬉しい“よいしょ”するようなささやきを聞いて、短時間のうちに入眠状態に入ることで可能になる。
【０２１８】
また、冬期や寒冷時には、足温手段ＨＥにより足部を温めるようにする。
【０２１９】
目覚まし時刻が設定されたときは、時計手段ＣＬの出力する現在時刻が、目覚まし時刻と一致すると、目覚まし動作が行われる。
【０２２０】
なお、目覚まし動作時のベッド床Ｂの揺動速度は、１つの値に固定されていてもよいし、リモコン３２で使用者Ｍが希望するベッド床Ｂの揺動速度に設定することができるようにしてもよいし、睡眠促進動作時のベット床Ｆの揺動速度で揺動を始めてから徐々に増速するようにしてもよい。
【０２２１】
図１５に示すように、支持フレームＢに設けられる前記制御盤１０には、ＡＣ１００Ｖ電源に接続される元スイッチ８１、足温手段（足温コタツ）用コンセント８０が結線され、その入力側には、リモコン３２が結線され、その出力側には、ＢＧＭスピーカー６３，暗示トーク用スピーカー２５、芳香ファン６１、ＢＧＭプレーヤー３０、暗示トークプレーヤー３１、ブレーキモータ（揺動モータ）１５、水平検出センサー（近接スイッチ）２６，足温ヒータ７５がそれぞれ結線される。
【０２２２】
つぎに、図１７を参照して、本発明の第２実施例について説明する。
【０２２３】
図１７は、第２実施例にかかる前記図６に対応した図であり、前記第１実施例と同じ要素には同じ符号が付される。
【０２２４】
この第２実施例は、ベッド床Ｂを支持フレームＳ上に支持するレール案内支持手段ＳＬの構成が前記第１の実施例と異なっている。すなわち前記案内支持手段ＳＬの案内レール１３８は、図１７に示すように、ベッド床Ｂの前後方向の中心軸線Ｌ２−Ｌ２に存する谷Ｖよりベッド床Ｂの左右方向外側に向かって緩やかな上り勾配に傾斜する左右案内レール１３８Ｌ，１３８Ｒより構成されている。そして、左右案内レール１３８Ｌ，１３８Ｒ上には、ベッド床Ｂの下面にブラケット４０，４０を介して支持される左右一対のローラ３９，３９がそれぞれ転動自在に載せられている。したがって、揺動駆動手段Ｄの稼働により、ベッド床Ｂが上下方向の揺動中心軸線Ｌ１−Ｌ１まわりに左右に揺動駆動されるとき、該ベッド床Ｂは自動調心軸受１２の中心、すなわち揺動中心Ｃまわりにも上下方向にシーソー状に傾動し、この傾動により、一対のローラ３９，３９が左右案内レール１３８Ｌ，１３８Ｒ上を転動し、その結果、ベッド床Ｂは、該左右案内レール１３８Ｌ，１３８Ｒに案内されて、その左右の両端が反対方向の昇降運動を伴いながら左右方向に揺動することになる。
【０２２５】
したがって、第２実施例のものでは、ベッド床Ｂ上の使用者Ｍは、大切な頭部Ｈが、水平状態を保ちながら、その足部Ｌｅは、前記左右案内レール１３８Ｌ，１３８Ｒの案内軌跡に沿って緩やかなシーソー状の上下方向の傾動を伴いながら左右方向に揺動されることになり、快適な睡眠が一層促進される。
【０２２６】
以上、本発明の実施例について説明したが、本発明はその実施例に限定されることなく、本発明の範囲内で種々の実施例が可能である。
【図面の簡単な説明】
【０２２７】
【図１】睡眠促進用ベッドの一部破断全体側面図
【図２】睡眠促進用ベッドを上下に傾動した場合の一部破断全体側面図
【図３】睡眠促進用ベッドの一部破断全体斜視図
【図４】図１の４矢視の睡眠促進用ベッドの一部破断平面図
【図５】図１の５−５線に沿う睡眠促進用ベッドの一部破断前端面図
【図６】図１の６−６線に沿う睡眠促進用ベッドの一部破断後端面図
【図７】図１の７−７線に沿う拡大断面図
【図８】図７の仮想線囲い部分の拡大図
【図９】図８の９−９線に沿う断面図
【図１０】図１の１０矢視拡大図
【図１１】図１０の１１−１１線に沿う断面図
【図１２】図１１の１２矢視図
【図１３】図１の１３矢視拡大図
【図１４】図１３の１４−１４線に沿う断面図
【図１５】リモコンスイッチの正面図
【図１６】睡眠促進用ベッドの駆動制御の結線説明図
【図１７】本発明の第２実施例に係る図６対応図
【符号の説明】
【０２２８】
１５・・・・・水平位置固定手段（ブレーキモータ）
２６・・・・・水平位置検出手段（近接スイッチ）
３２・・・・・リモコンスイッチ
１３８Ｌ・・・左案内レール
１３８Ｒ・・・右案内レール
Ａ・・・・・・揺動幅調整装置
Ｃ・・・・・・揺動中心点
Ｓ・・・・・・支持フレーム
Ｄ・・・・・・揺動駆動装置
Ｂ・・・・・・ベッド床
Ｆ・・・・・・ベッドフレーム
Ｈ・・・・・・頭部
Ｌｅ・・・・・足部
Ｍ・・・・・・使用者
Ｖ・・・・・・谷
ＳＭ・・・・・芳香発生手段
ＭＵ・・・・・ＢＧＭ発生手段
ＷＩ・・・・・暗示トーク発生手段
Ｌ１−Ｌ１・・ベッド床の上下方向の揺動中心軸線
Ｌ２−Ｌ２・・ベッド床の前後方向の中心軸線
Ｓ１４，Ｓ１５，Ｓ２３，Ｓ２５，Ｓ２６，ＤＳＰ・・・・目覚まし時刻設定手段
ＢＧＭ・・・・目覚まし音発生手段                          
【図１】
2006305147.tif 000003
【図２】
2006305147.tif 000004
【図３】
2006305147.tif 000005
【図４】
2006305147.tif 000006
【図５】
2006305147.tif 000007
【図６】
2006305147.tif 000008
【図７】
2006305147.tif 000009
【図８】
2006305147.tif 000010
【図９】
2006305147.tif 000011
【図１０】
2006305147.tif 000012
【図１１】
2006305147.tif 000013
【図１２】
2006305147.tif 000014
【図１３】
2006305147.tif 000015
【図１４】
2006305147.tif 000016
【図１５】
2006305147.tif 000017
【図１６】
2006305147.tif 000018
【図１７】
2006305147.tif 000019
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
支持フレームと、この支持フレームに揺動可能に支持されるベッド床と、このベッド床を揺動駆動する揺動駆動手段とを備え、ベッド床を揺動させて、該ベッド床上に臥する使用者の睡眠を促進するようにした、睡眠促進用ベッドであって、
前記ベッド床は、そこに仰臥する使用者の頭部を上下方向に通過する揺動中心軸線まわりに左右に揺動することを特徴とする、睡眠促進用ベッド。
【請求項２】
支持フレームと、この支持フレームに揺動可能に支持されるベッド床と、このベッド床を揺動駆動する揺動駆動手段とを備え、ベッド床を揺動させて、該ベッド床上に臥する使用者の睡眠を促進するようにした、睡眠促進用ベッドであって、
前記ベッド床は、そこに仰臥する使用者の頭部を通過する上下方向の揺動中心軸線まわりに左右方向に揺動可能であり、かつ使用者の頭部よりも下方に存する揺動中心点まわりに上下方向に傾動可能であって、前記ベッド床上の使用者の足部を受けるベッド床の後部は、該ベッド床の前後方向の中心軸線上に存する谷から左右方向外側に向かってそれぞれ上り勾配に傾斜する左右案内レールに案内されて、該ベッド床の左右の両端が反対方向へ緩やかな昇降運動を伴いながら左右方向に揺動するようにされていることを特徴とする、睡眠促進用ベッド。
【請求項３】
前記ベッド床の上面の、該ベッド床上に仰臥する使用者の左右方向が、水平状態であることを検出する水平位置検出手段および該水平位置検出手段の検出信号をうけて、前記ベッド床を前記水平状態に固定する水平位置固定手段とが設けられ、ベッド床の揺動稼働停止後、ベッド床の上面は前記水平状態に固定されることを特徴とする、前記請求項１または２記載の睡眠促進用ベッド。
【請求項４】
ベッドフレームに、支持フレームが上下方向に回動可能に支持され、該支持フレームに前記ベッド床が揺動可能に支持されており、前記支持フレームは、前記ベッド床の上面が、該上面に仰臥する使用者の身長方向が水平になる状態と、使用者の頭部側から足部側へ下向きに傾斜する状態とをとり得るようにされていることを特徴とする、前記請求項１，２または３記載の睡眠促進用ベッド。
【請求項５】
前記ベッド床の揺動速度、揺動稼働時間を任意に調整コントロールできるようにした、リモコンスイッチとを備えていることを特徴とする、前記請求項１，２，３または４記載の睡眠促進用ベッド。
【請求項６】
前記ベッド床上に仰臥する使用者の頭部近くに、芳香発生手段、音楽発生手段および暗示トーク発生手段を備えていることを特徴とする、前記請求項１，２，３，４または５記載の睡眠促進用ベッド。
【請求項７】
目覚まし時刻を設定する目覚まし時刻設定手段を備え、前記目覚まし時刻設定手段で設定された目覚まし時刻に応じて、前記ベッド床を揺動させて使用者を睡眠から目覚めさせるための目覚まし動作を行い、前記目覚まし動作時の前記ベッド床の揺動速度は、前記睡眠促進動作時よりも増速されることを特徴とする、前記請求項１，２，３，４，５または６記載の睡眠促進用ベッド。
【請求項８】
使用者を睡眠から目覚めさせるための目覚まし音を発生させる目覚まし音発生手段を備え、前記設定された目覚まし時刻に応じて、前記目覚まし音発生手段を稼働して目覚まし音を発生させることを特徴とする、前記請求項７記載の睡眠促進用ベッド。
【請求項９】
前記ベッド床の後部には、ベッド床上の使用者の足部を温める足温手段が設けられていることを特徴とする、前記請求項１，２，３，４，５，６，７または８記載の睡眠促進用ベッド。
【手続補正２】
【補正対象書類名】明細書
【補正対象項目名】全文
【補正方法】変更
【補正の内容】
【発明の詳細な説明】
【技術分野】
【０００１】
本発明は、睡眠促進用ベッドに関するものである。
【背景技術】
【０００２】
近年、政治的には、テロ、地政学的なリスクの高まりなどの政情不安、社会的には、残酷な犯罪の多発などの社会環境の悪化、また、経済的には、デフレ、リストラ、不況などの経済不安、さらに、職場や家庭内での人間関係の悪化などの諸原因により、ストレスの高まりから、睡眠不足、不眠症を訴える者、特に中高年齢者が増大しつつある。
【０００３】
このような睡眠不足や不眠症の解消方法として、飲酒をしたり、睡眠薬を使用したりしているものも見受けられるが、これらはいずれも習慣性があり、飲酒量、睡眠薬の使用量が次第に多くなる傾向があって、健康を害する原因となっている。
【０００４】
そこで、従来、睡眠を促進する装置として後記特許文献１〜５に記載されたものが、またストレスを解消する装置として特許文献６に記載されたものが知られている。
【特許文献１】実公平５−６９９９号公報
【特許文献２】特開２００２−１７５１６号公報
【特許文献３】実開昭４９−２７８０４号マイクロフィル
【特許文献４】実開昭５２−１０９９０４号マイクロフィル
【特許文献５】特開２００１−１８７１４７号公報
【特許文献６】特開平８−８９５７９号公報
【０００５】
特許文献１には、人が仰臥するプレート（水平ベッド）を、複数のカムにて、上下或いは左右に揺動し、振動効果を出しつつ、車内騒音や音楽を流して睡眠効果が得られるようにしたものが開示され、
また、特許文献２には、ブランコ式ベッドであって、ベッド床を、吊棒に吊るしたアームによりブランコ状に揺動できるようにしたものが開示され、
さらに、特許文献３には、マット台を前後に揺動させる共に、交互に昇降させるようにしたベッドが開示され、
さらにまた、特許文献４には、モータで偏心カムを回転させてベッドを揺らすようにした揺動機のついた自動揺すりベッドが開示されている。
【０００６】
また、特許文献５には、音響と芳香の作用を統合した安眠装置が開示され、
特許文献６には、芳香と音楽と足温の相乗効果で、心の緊張を和らげるようにしたリラクセーション装置が開示されている。
【発明の開示】
【発明が解決しようとする課題】
【０００７】
ところで、一般に、人間は左右の揺れや揺動には、割合に鈍感であり、むしろ心地良く感じることがある反面、上下の振動や昇降には敏感に反応して不快感、不安感を感じるものであり、たとえば、人が就寝時にマグニチュード３〜４の地震を経験したときに、左右の揺れには比較的に鈍感であるのに対して上下の揺れには敏感に反応して起き上がったことは誰もが経験しているところであり、また、就寝時、立起時を問わずに、人は上下の振動、揺動、昇降に対して敏感に反応し、たとえば、エレベータの急速下降、航空機の急降下、航海時の船揺れなどには不快感、不安感を感じることは誰もが経験している。
【０００８】
そこで、上記実情を勘案し、本出願の発明者が研究、研鑽を重ねた結果、ベッド上においても、ベッド上に臥する人の頭部の上下振動、上下揺動、昇降は、睡眠の促進には良い結果とはならず、むしろ睡眠の妨げになることをつきとめた。
【０００９】
しかしながら、前記特許文献１，２のものは、いずれもベッドを左右および上下に揺動させて、人の頭部は左右に揺れると共に上下にも昇降を繰り返すようにされており、また、前記特許文献３，４のものはいずれも頭部と足部を交互に昇降揺動する方式であり、したがって、特許文献１〜４のものはいずれも、「人間の大切な頭部の上下揺動を極力抑える」という睡眠の促進に最も重要な基本的な要件を欠如しており、睡眠促進用ベッドとして満足のいくものではなかった。
【００１０】
本発明はかかる事情に鑑みてなされたものであり、人間の大切な頭部の上下揺動を極力抑えながら、身体には、睡眠に必要な心地よい揺動を与えて睡眠を大いに促進できるようにした、新規な睡眠促進用ベッドを提供することを目的とするものである。
【００１１】
また、本発明は身体に適した前記揺動に、芳香、音楽、暗示トークを組み合わせたことによる「相乗効果」で、睡眠の促進効果をより高めるようにした、新規な睡眠促進用ベッドを提供することを他の目的とするものである。
【課題を解決するための手段】
【００１２】
上記目的を達成するために、請求項１記載の本発明は、支持フレームと、この支持フレームに揺動可能に支持されるベッド床と、このベッド床を揺動駆動する揺動駆動手段とを備え、ベッド床を揺動させて、該ベッド床上に臥する使用者の睡眠を促進するようにした、睡眠促進用ベッドであって、
前記ベッド床は、そこに仰臥する使用者の頭部を上下方向に通過する揺動中心軸線まわりに左右に揺動することを特徴としている。
【００１３】
上記目的を達成するために、請求項２記載の本発明は、支持フレームと、この支持フレームに揺動可能に支持されるベッド床と、このベッド床を揺動駆動する揺動駆動手段とを備え、ベッド床を揺動させて、該ベッド床上に臥する使用者の睡眠を促進するようにした、睡眠促進用ベッドであって、
前記ベッド床は、そこに仰臥する使用者の頭部を通過する上下方向の揺動中心軸線まわりに左右方向に揺動可能であり、かつ使用者の頭部よりも下方に存する前記揺動中心軸線上の揺動中心点まわりに上下方向にシーソー状に傾動可能であって、前記ベッド床上の使用者の足部を受けるベッド床の後部は、該ベッド床の前後方向の中心軸線上に存する谷から左右方向外側に向かってそれぞれ上り勾配に傾斜する左右案内レールに案内されて、該ベッド床の左右の両端が反対方向へ緩やかな昇降運動を伴いながら左右方向に揺動するようにされていることを特徴としている。
【００１４】
上記目的を達成するために、請求項３記載の本発明は、前記請求項１または２記載のものにおいて、前記ベッド床の上面の、該ベッド床上に仰臥する使用者の左右方向が、水平状態であることを検出する水平位置検出手段および該水平位置検出手段の検出信号をうけて、前記ベッド床を前記水平状態に固定する水平位置固定手段とが設けられ、ベッド床の揺動稼働停止後、ベッド床の上面は前記水平状態に固定されることを特徴としている。
【００１５】
上記目的を達成するために、請求項４記載の本発明は、前記請求項１，２または３記載のものにおいて、ベッドフレームに、支持フレームが上下方向に回動可能に支持され、該支持フレームに前記ベッド床が揺動可能に支持されており、前記支持フレームは、前記ベッド床の上面が、該上面に仰臥する使用者の身長方向が水平になる状態と、使用者の頭部側から足部側へ下向きに傾斜する状態とをとり得るようにされていることを特徴ととしている。
【００１６】
上記目的を達成するために、請求項５記載の本発明は、前記請求項１，２，３または４記載のものにおいて、前記ベッド床の揺動速度、揺動稼働時間を任意に調整コントロールできるようにした、リモコンスイッチとを備えていることを特徴としている。
【００１７】
上記目的を達成するために、請求項６記載の本発明は、前記請求項１，２，３，４または５記載のものにおいて、前記ベッド床上に仰臥する使用者の頭部近くに、芳香発生手段、音楽発生手段および暗示トーク発生手段を備えていることを特徴としている。
【００１８】
上記目的を達成するために、請求項７記載の本発明は、前記請求項１，２，３，５または６記載のものにおいて、目覚まし時刻を設定する目覚まし時刻設定手段を備え、前記目覚まし時刻設定手段で設定された目覚まし時刻に応じて、前記ベッド床を揺動させて使用者を睡眠から目覚めさせるための目覚まし動作を行い、前記目覚まし動作時の前記ベッド床の揺動速度は、前記睡眠促進動作時よりも増速されることを特徴としている。
【００１９】
上記目的を達成するために、請求項８記載の本発明は、前記請求項７記載のものにおいて、使用者を睡眠から目覚めさせるための目覚まし音を発生させる目覚まし音発生手段を備え、前記設定された目覚まし時刻に応じて、前記目覚まし音発生手段を稼働して目覚まし音を発生させることを特徴としている。
【００２０】
上記目的を達成するために、請求項９記載の本発明は、前記請求項１，２，３，４，５，６，７または８記載のものにおいて、前記ベッド床の後部には、ベッド床上の使用者の足部を温める足温手段が設けられていることを特徴としている。
【発明の効果】
【００２１】
請求項各項記載の発明によれば、ベッド床は、そこに仰臥する使用者の頭部を上下方向に通過する揺動中心軸線まわりに左右に揺動するので、使用者の頭部は、ほとんど上下の昇降揺動がなく、その身体に心地よい左右揺動を与えることができ、睡眠を促進することができる。
【００２２】
また、請求項２記載の発明によれば、使用者は、その頭部が水平状態を保ちながら、その足部は緩やかなシーソー状の上下方向の傾動を伴いながら左右方向に揺動されてその身体に心地よい揺動を与えることができ、睡眠を一層促進することができる。
【００２３】
さらに、請求項３記載の発明によれば、ベッド床の揺動稼働の停止後は、ベッド床の上面は水平状態に固定されるので、使用者の安全が確保され、安心してこの睡眠促進用ベッドを利用することができる。
【００２４】
さらに、請求項４記載の発明によれば、使用者は、頭部側から足部側へ下方に傾斜する状態をとり得るので、使用者の足部への血液の流れの負担を軽減することができ、安眠を一層促進することができる。
【００２５】
さらに、請求項５記載の発明によれば、使用者は、揺動幅、揺動速度、揺動稼働時間をを自分に合ったものに調整することができる。
【００２６】
さらに、請求項６記載の発明によれば、使用者は、ベッド床からの心地よい前記左右揺動をうけながら、安らぎ用芳香を嗅ぎ、心身を安静化させる音楽を聞き、さらにストレス解消用の暗示トークを聞いて、短時間のうちに深い眠りにつくことができる。
【００２７】
さらに、請求項７，８記載の発明によれば、ベッド床を揺動させることで目覚ましを行うを行うので、使用者を刺激せずに睡眠から確実に目覚めさせることができる。特に、目覚まし動作時のベッド床の揺動速度を睡眠促進時よりも増速することにより、目覚ましとするので、ベッド床の揺動を睡眠促進のほか、目覚ましにも利用することができる。
【００２８】
さらに、請求項８記載の発明によれば、ベッド床の揺動と目覚まし音とで目覚ましを行うので、使用者を睡眠から、より一層確実に目覚めさせることができる。
【００２９】
さらに、請求項９記載の発明によれば、冬期、寒冷地など必要に応じて使用者は、足部を温めることができる。
【発明を実施するための最良の形態】
【００３０】
以下、本発明の実施の形態を、添付図面に示した本発明の実施例に基づいて具体的に説明する。
【００３１】
図１〜図１６は、本発明の第１実施例を示すものであり、図１は、睡眠促進用ベッドの一部破断全体側面図、図２は、睡眠促進用ベッドを上下に傾動した場合の一部破断全体側面図、図３は、睡眠促進用ベッドの一部破断全体斜視図、図４は、図１の４矢視の睡眠促進用ベッドの一部破断平面図、図５は、図１の５−５線に沿う睡眠促進用ベッドの一部破断前端面図、図６は、図１の６−６線に沿う睡眠促進用ベッドの一部破断後端面図、図７は、図１の７−７線に沿う拡大断面図、図８は、図７の仮想線囲い部分の拡大図、図９は、図８の９−９線に沿う断面図、図１０は、図１の１０矢視拡大図、図１１は、図１０の１１−１１線に沿う断面図、図１２は、図１１の１２矢視図、図１３は、図１の１３矢視拡大図、図１４は、図１３の１４−１４線に沿う断面図、図１５はリモコンスイッチの正面図、図１６は、睡眠促進用ベッドの駆動制御の結線説明図である。
【００３２】
図１〜３に示すように、睡眠促進用ベッドのベッドフレームＦは、鉛直方向に起立される板状の前、後部フレーム１，２と、これら前、後部フレーム１，２を一体に連結する略水平な底部フレーム３とより側面視凹状に構成される。ベッドフレームＦ内には、後述する支持フレームＳが上下方向に傾動可能に支持され、さらに、この支持フレームＳに、後に詳述するベッド床Ｂが、上下方向の揺動中心軸線Ｌ１−Ｌ１まわりに左右方向に揺動可能に支持される。また、このベッドフレームＦの下面四隅には、このベッドフレームＦを自在に走行可能にするためのキャスタ２９がそれぞれ設けられる。
【００３３】
図３に示すように、前記支持フレームＳは、方形の枠状に形成されており、ベッドフレームＦの前、後部フレーム１，２の間で、底部フレーム３の上方に配置されている。前部フレーム１の内面下部左右には、一対の軸受４，４を介して支持フレームＳの前端に固定された支持軸５が回転可能に横架されており、支持フレームＳは、この支持軸５まわりに上下方向に傾動可能である。また、支持フレームＳの後端の左右には、後方に延びる一対の支持アーム６，６が片持状に一体に設けられており、図６に最も明瞭に示すように、これらの支持アーム６，６の後端には、ウエルドナットｎ、ｎがそれぞれ固定され、これらのウエルドナットｎ，ｎには、後部フレーム３に設けた上下方向のガイド孔８，８を摺動自在に貫通した調整螺子７，７がねじ込まれている。したがって、一対の調整螺子７，７を緩めたのち、支持フレームＳの後端をガイド孔８，８に沿って上下方向に昇降調節することにより、支持フレームＳを支持軸５まわりに上下に傾動調整することができ、図２に示すように、支持フレームＳを後方（ベッド床Ｂ上に仰臥する使用者の足側）に向かって下向きに傾動させることができる。また、調整螺子７，７を締め付けることにより、該支持フレームＳを所定の位置に固定することができる。
【００３４】
図１〜５に示すように、支持フレームＳの後端中間部と、ベッドフレームＦとの間には、ガススプリング９が連結されており、支持フレームＳの前述の傾動調整は、このガススプリング９のスプリング作用により助成されて軽快、緩徐かつ容易に行なうことができる。
【００３５】
支持フレームＳは、図１に示すように、ベッド床Ｂの上面の該上面に仰臥する使用者Ｍの身長方向が水平になる状態と、図２に示すように、使用者Ｍの頭部Ｈ側から足部Ｌｅ側へ向かい下方に傾斜する状態とを取り得るようにされており、２図の傾斜状態では、ベッド床Ｂ上の使用者Ｍは、足部Ｌｅへの血液の流れを助成することができる。
【００３６】
図１〜３に示すように、前記ベッド床Ｂは、方形状の皿状をなす揺動フレーム１１と、この揺動フレーム１１上に収容されるスポンジマットなどの弾褥体よりなるクッション体３３と、このクッション体３３上に敷設される低反発マットなどの敷布マット３４とより構成される。前記ベッド床Ｂの敷布マット３４上には、使用者Ｍが、頭部Ｈを前部フレーム１側に向けて臥するようにされている。
【００３７】
ベッド床Ｂは、その前部（使用者Ｍの頭部Ｈ側）が、後述する軸受支持手段ＳＢを介して支持フレームＳの前部に、上下方向の揺動中心軸線Ｌ１−Ｌ１まわりに左右方向に揺動可能に支持され、また、その後部（使用者の足側）が、後述するレール案内支持手段ＳＬを介して支持フレームＳの後部に左右方向にスライド移動可能に支持されている。
【００３８】
図１〜３，図５に示すように、前記軸受支持手段ＳＢは、自動調心軸受１２と、この軸受１２により支持される上下支持軸１３とを備えており、前記自動調心軸受１２は、支持フレームＳの前部のクロスメンバーの中央に設けられ、一方、上下支持軸１３は、ベッド床Ｂの揺動フレーム１１の前部の左右方向中央に一体に吊下されている。したがって、ベッド床Ｂの前部の左右方向中央は、支持フレームＳの前部に前記軸受支持手段ＳＢを介して上下方向の揺動中心軸線Ｌ１−Ｌ１まわりに左右方向に揺動可能に支持される。
【００３９】
また、図５に示すように、前記自動調心軸受１３の中心Ｃは、前記揺動中心軸線Ｌ１−Ｌ１上を通っており、ベッド床Ｂは、この中心Ｃを揺動中心点として上下方向にシーソー状に傾動が許容される。
【００４０】
また、図１〜３，図６に示すように、前記レール案内支持手段ＳＬは、支持フレームＳの後端に固定される、横方向に略水平に延びる案内レール３８と、ベッド床Ｓの後端左右にブラケット４０，４０を介して回転自在に支持される一対のローラ３９，３９とより構成され、これらのローラ３９，３９は、前記案内レール３８上を転動できるようにされている。
【００４１】
図１，２，４に示すように、ベッド床Ｂ上に使用者Ｍが仰臥したとき、ベッド床Ｂの上下方向の揺動中心軸線Ｌ１−Ｌ１、すなわち、上下支持軸１３の中心軸線は、その使用者Ｍの頭部を上下方向に通過しており、したがって、ベッド床Ｂが前記揺動中心軸線Ｌ１−Ｌ１まわりに左右方向に揺動するとき、使用者Ｍは、その頭部Ｈが上下方向に揺すられることが殆どなく、その頭部Ｈを中心して左右方向に揺すられることになり、その頭部Ｈと足部Ｌｅ間の揺すり軌跡は、ベッド床Ｂの平面視で、頭部Ｈを中心とし足部Ｌｅが最も大きく揺すられる扇形状となる（図４参照）。
【００４２】
しかして、ベッド床Ｂは、前記上下方向の揺動中心軸線Ｌ１−Ｌ１まわりに左右方向に揺動するとき、自動調心軸受１３の中心、すなわち揺動中心点Ｃまわりにシーソー状の上下方向の傾動が許容されるので、ベッド床Ｂの左右方向への揺動は、可動部分に無理な力をかけることなくスムーズに行なわれる。
【００４３】
図１〜３に示すように、ベッドフレームＦの後部には、電源に接続される元スイッチ８１、後述する足温手段、すなわち足温コタツＨＥ用コンセント８０が設けられる外、睡眠促進用ベッドを揺動制御する制御装置Ｅ、タイマーＴ１〜Ｔ１２、揺動回数記憶手段Ｋ１〜Ｋ３、目覚まし時刻記憶手段Ｋ４、現在の時刻を出力する時計手段ＣＬ、ブレーキモータ１５の回転数を可変制御するインバータなどを備えた制御盤１０、音楽、すなわちＢＧＭプレーヤー３０、ささやきプレーヤー３１が設けられる。
【００４４】
前記ベッド床Ｂは、揺動駆動手段Ｄにより、支持フレームＳに対して、前記上下方向の揺動中心軸線Ｌ１−Ｌ１まわりに左右方向に強制揺動駆動される。
【００４５】
つぎに、この揺動駆動手段Ｄの構成について、図１〜３および７〜９を参照して詳細に説明するに、支持フレームＳの中間部のクロスメンバーには、ブラケット１４を介してブレーキモータ１５が固定支持されている。このブレーキモータ１５は従来公知のものであり、インバータが接続されていて回転数を可変に制御でき、また、その停止時にはブレーキがかかるようになっている。ブレーキモータ１５の減速出力軸１６には偏心板１７が固定されている。この偏心板１７には、偏心軸１８が、偏心量を無段に調整できるように連結されている。すなわち、図８，９に示すように、偏心板１７の外面にはガイドブロック１９が固定され、このガイドブロック１９に形成した径方向のアリ溝２０に、偏心軸１８と一体のアリ凸部２１が摺動自在に嵌合されており、このアリ凸部２１に、ガイドブロック１９に回転自在に設けた調節ボルト２２が螺挿されている。したがって、この調節ボルト２２の回転制御で偏心軸１８の偏心量を調節することができる。偏心軸１８の一端には、連結棒２３の一端が回転自在に連結され、この連結棒２３の他端に、ベッド床Ｂのクロスメンバーの中央部より一体に垂下した揺動アーム２５の下端が回転自在にピン連結２４されている。ブレーキモータ１５の駆動によれば、偏心板１７、偏心軸１８、連結棒２３および揺動アーム２５を介してベッド床Ｂを所定の振幅（約１２０ｍｍ）をもって左右に揺動駆動することができ、その振幅量は、調節ボルト２２の回転制御により無段に調節可能である。また、ブレーキモータ１５の停止時には、これにブレーキがかかるため、揺動フレームＳに外力が作用しても、これが無為に揺動するのを抑止することができる。
【００４６】
図７に示すように、前記揺動アーム２５の左右には、支持フレームＳより垂下した一対の水平位置検出用近接スイッ２６ａ，２６ｂが配設されており、これらの近接スイッチ２６ａ，２６ａにより、ベッド床Ｂの位置が検出される。後述するタイマーＴ１，Ｔ５，Ｔ６による経過時間がくれば、または、揺動停止キーＳ５が押されれば、揺動スピードを減速して、これらの近接スイッチ２６ａ，２６ｂによりベッド床Ｂの位置を検出して揺動駆動用ブレーキモータ１５を停止させ、該ブレーキモータ１５にブレーキがかかり、ベッド床Ｂは水平位置を保って停止するようにされる。
【００４７】
しかして、前記水平位置検出用近接スイッチ２６ａ，２６ｂにより水平位置検出手段が構成され、また、これらの近接スイッチ２６ａ，２６ｂと、近接スイッチ２６ａ，２６ｂの検出信号で揺動駆動用ブレーキモータ１５を停止制御する制御装置Ｅとにより水平維持検知停止機構が構成され、さらに、前記ブレーキモータ１５のブレーキにより、水平位置固定手段が構成され、さらにまた、前記偏心板１７、偏心軸１８、調節ボルト２２により揺動幅調整装置Ａが構成される。
【００４８】
図１〜４に示すように、ベッド床Ｂ上の前部の左右中央には、枕ユニットＰが設けられる。この枕ユニットＰは、複数の固定金具４１をもって、ベッド床Ｂの揺動フレーム１１の前部の両側面に固定されている。
【００４９】
つぎに、この枕ユニットＰの構成を、図１，２，１０〜１２を参照して説明すると、この枕ユニットＰは、使用者Ｍの頭部Ｈを支える水平部分Ｐｈと、安眠用機器類の取り付けられる鉛直部分Ｐｖとを有して側面視Ｌ字状に形成されていて、低反発ウレタン樹脂よりなる枕本体４３の外周面を布カバーよりなる表皮４４により包覆して構成される。枕ユニットＰの鉛直部分Ｐｖの背面には出入口４５が開口され、この出入口４５を通して枕本体４３内には、軟質、ゲル状の冷却マット４６が出入れ可能に装入される。この冷却マット４６（冷蔵庫、冷凍室などで冷却して使用するものであり−２０°〜−２５°では硬くならないもの）は、軟質の袋体中に冷却剤を封入して構成される。前記出入口４５は、枕本体４３の背面に開閉自在に蝶着４８した蓋体４７により閉じられる。図１１に示すように、枕ユニットＰの表皮４４の背面には、蓋体４７を覆う開閉カバー４９がチャック５０により開閉可能に設けられており、この開閉カバー４９を開いた後、蓋体４７を開放すれば、冷却マット４６の枕ユニットＰへの出入れができる。
【００５０】
なお、冬期などの低温時には、冷却マット４６は使用しない。
【００５１】
枕ユニットＰの鉛直部分Ｐｖの左右には、対をなす芳香発生手段ＳＭ、ＢＧＭなどを発生する音楽発生手段ＭＵ、および「ささやき・やすらぎ」などの音声を発生する暗示トーク発生手段ＷＩが、それぞれ上下に縦列配置されている。前記芳香発生手段ＳＭは、セラピー香料などの芳香剤６０と、送風ファン６１とを備えており、芳香剤６０は、枕ユニットＰの上面に開口した投入口４２内に出入れ自在に収容され、送風ファン６１は、その背面に配置される。送風ファン６１の駆動によれば、芳香剤６０から発散する芳香は、枕ユニットＰの鉛直部分Ｐｖの前面に開口した発散口よりベッド床Ｂ上に向けて発散される。      
【００５２】
また、音楽発生手段ＭＵは、支持フレームＳに設けられるＢＧＭプレーヤー３０（図１参照）に接続されるスピーカー６３を備え、このスピーカー６３より流れるＢＧＭは、枕ユニットＰの鉛直部Ｐｖの前面に開口した発生口よりベッド床Ｂ上に向けて流れる。さらに、前記暗示トーク発生手段、すなわち「ささやき・やすらぎ」発生手段ＷＩは、「ささやき・やすらぎ」用プレーヤー３１（図１参照）に接続される他のスピーカー６５を備え、このスピーカー６５より発する「ささやき・やすらぎ」音声は、枕ユニットＰの鉛直部Ｐｖの前面に開口した他の発生口よりベッド床Ｂ上に向けて流れる。
【００５３】
しかして、前記音楽発生手段、すなわちＢＧＭ発生手段ＭＵは、本発明にかかる目覚まし音発生手段を構成している。
【００５４】
ベッド床Ｂの後部には、ベッド床Ｂ上の使用者Ｍの足部Ｌｅを温める足温手段ＨＥが設けられる。
【００５５】
つぎに、図１，２，１３，１４を参照してこの足温手段ＨＥの構造について説明するに、足温手段ＨＥは、この実施例では、足温コタツよりなり、その足温ボックス７１はベッド床Ｂに配置されて、複数の固定金具７０をもって揺動フレーム１１の両側面に着脱自在に固定される。足温ボックス７１は、ハードボード板により横方向に長い箱状に形成され、その前面、すなわち使用者Ｍ側に向けて足部Ｌｅの出入口７２が開口されている。足温ボックス７１の内面にはロックウールよりなる断熱材７３が裏打ちされ、その断熱材７３の内側には断熱用アルミ箔７４を介して、被覆ニクロム線よりなる、コイル状のヒータ７５が配管されている。このヒータ７５は、アルミ板７７を介して不燃布７６により覆われており、ヒータ７５からの熱は、アルミ板７７を介して不燃布７６に万遍なく伝達され、足温ボックス７１内の保温室が均等に保温されるようにされている。足の出入口７２の上部には、不燃布からなる可撓性の覆い布７８が垂下されていて、足の出入口７２を覆うようにしてある。図１，３に示すように、支持フレームＳの底部フレーム３の後端には、足温コタツＨＥのコンセント８０が設けれ、電源に接続される元スイッチ８１が設けられる（図１，３参照）。
【００５６】
図１，２，１４に鎖線に示すように、ベッド床Ｂ上に仰臥する使用者Ｍは、自己の足部Ｌｅを足温コタツＨＥの保温室内に挿入して温めることができる。
【００５７】
なお、この足温コタツＨＥは、夏期など不必要なときはベッド床Ｂより外しておく。また、図１，２において、符号ＢＬは、使用者Ｍを覆う毛布である。
【００５８】
ベッドフレームＦの前部一側にはリモコンボックス２８が設けられ、このリモコンボックス２８には、この睡眠促進用ベッドを作動制御するリモコン３２が着脱可能に収容され、この睡眠促進用ベッドの使用者Ｍはこのリモコン３２を把持して睡眠促進用ベッドを適宜操作する。
【００５９】
なお、このリモコン３２は、睡眠促進用ベッドの使用者Ｍ以外の者による操作も可能であり、たとえば介護の必要な使用者Ｍの場合などがこれに当たる。
【００６０】
図１５に示すように、リモコン３２の操作面には、下記のキーなどが設けられる。
【００６１】
ＤＳＰ：表示器
各設定数値（分、回／分）などを表示する。
【００６２】
Ｓ１  ：第１プログラムキー
第１プログラムをスタートできる。
【００６３】
Ｓ２  ：第２プログラムキー
第２プログラムをスタートできる。
【００６４】
Ｓ３  ：連動キー
第１、第２プログラムにおいて、ＢＧＭプレーヤー３０、ささやきプレーヤ            ー３１および芳香ファン６１を、ベッド床Ｂの揺動停止と同時に停止さ            せるときに押す。
【００６５】
Ｓ４  ：揺動スタートキー
ベッド床Ｂの揺動をスタートできる。
【００６６】
Ｓ５  ：揺動停止キー
ベッド床Ｂの揺動を停止することができる。また、第１、第２プログラムを            実行中に押すと全停止する。さらに、後述する目覚まし動作中に押すと全停            止する。
【００６７】
Ｓ６  ：ＢＧＭスタートキー
ＢＧＭプレーヤー３０をスタートすることができる。
【００６８】
Ｓ７  ：ＢＧＭ停止キー
ＢＧＭプレーヤー３０を停止することができる。
【００６９】
Ｓ８  ：ささやきスタートキー
ささやきプレーヤー３１をスタートすることができる。
【００７０】
Ｓ９  ：ささやき停止キー
ささやきプレーヤー３１を停止することができる。
【００７１】
ＶＲ１：ＢＧＭ音量調整器
ＢＧＭスピーカー６３の音量を調整するときに操作する。
【００７２】
ＶＲ２：ささやき音量調整器
ささやきプレーヤー６５の音量を調整するときに操作する。
【００７３】
Ｓ１０：芳香スタートキー
芳香ファン６１を稼働することができる。
【００７４】
Ｓ１１：芳香停止キー
芳香ファン６１を停止することができる。
【００７５】
Ｓ１２：足温コタツ「入」キー
足温コタツＨＥを入りにできる。
【００７６】
Ｓ１３：足温コタツ「切」キー
足温コタツＨＥを切りにできる。
【００７７】
Ｓ１４：増加キー
設定する数値を増加させることができる。
【００７８】
Ｓ１５：減少キー
設定する数値を減少させることができる。
【００７９】
Ｓ１６：揺動時間キー
ベッド床Ｂが揺動する揺動稼働時間ｔ１，ｔ５，ｔ９を設定するときに押す            。
【００８０】
Ｓ１７：ＢＧＭ時間キー
ＢＧＭプレーヤー３０が稼働するＢＧＭ稼働時間ｔ２，ｔ６，ｔ１０を設定            するときに押す。
【００８１】
Ｓ１８：ささやき時間キー
ささやきプレーヤー３１が稼働するささやき稼働時間ｔ３，ｔ７，ｔ１１              を設定するときに押す。
【００８２】
Ｓ１９：芳香時間キー
芳香ファン６１が稼働する芳香ファン稼働時間ｔ４，ｔ８，ｔ１２を設定す            るときに押す。
【００８３】
Ｓ２０：揺動回数キー
ベッド床Ｂの揺動回数ｋ１，ｋ２，ｋ３（回／分）を設定するときに押す            。
【００８４】
Ｓ２１：設定キー
各種設定を始めるときに押す。
【００８５】
Ｓ２２：決定キー
各種設定値を決定するときに押す。
【００８６】
Ｓ２３：クリアキー
設定時のキー入力をクリアーするときに押す。
【００８７】
Ｓ２４：目覚まし「入」キー
目覚まし時刻を設定することができる。
【００８８】
Ｓ２５：時キー                                                                            目覚まし時刻を表示器ＤＳＰに表示させることができる。
【００８９】
Ｓ２６：分キー
目覚まし時刻の分を変更するときに押す。
【００９０】
しかして、前記目覚まし「入」キーＳ２４、時キーＳ２５、分キーＳ２６、増加キー１４、減少キーＳ１５、表示器ＤＳＰが協働して、本発明にかかる目覚まし時刻設定手段を構成する。
【００９１】
つぎに、タイマーＴ１〜Ｔ１２、および揺動回数記憶手段Ｋ１〜Ｋ３について説明する。
【００９２】
Ｔ１  ：タイマー
揺動スタートキーＳ４が押されたときに揺動実稼働時間を検出する。
【００９３】
Ｔ２  ：タイマー
ＢＧＭスタートキーＳ６が押されたときにＢＧＭ実稼働時間を検出する。
【００９４】
Ｔ３  ：タイマー
ささやきスタートキーＳ８が押されたときにささやき実稼働時間を検出する            。
【００９５】
Ｔ４  ：タイマー
芳香スタートキーＳ１０が押されたときに芳香ファン実稼働時間を検出する            。
【００９６】
Ｔ５  ：タイマー
第１プログラムキーＳ１が押されたときに揺動実稼働時間を検出する。
【００９７】
Ｔ６  ：タイマー
第１プログラムキーＳ１が押されたときにＢＧＭ実稼働時間を検出する。
【００９８】
Ｔ７  ：タイマー
第１プログラムキーＳ１が押されたときにささやき実稼働時間を検出する。      
【００９９】
Ｔ８  ：タイマー
第１プログラムキーＳ１が押されたときに芳香ファン実稼働時間を検出する            。
【０１００】
Ｔ９  ：タイマー
第２プログラムキーＳ２が押されたときに揺動実稼働時間を検出する。
【０１０１】
Ｔ１０：タイマー
第２プログラムキーＳ２が押されたときにＢＧＭ実稼働時間を検出する。
【０１０２】
Ｔ１１：タイマー
第２プログラムキーＳ２が押されたときにささやき実稼働時間を検出する。      
【０１０３】
Ｔ１２：タイマー
第２プログラムキーＳ２が押されたときに芳香ファン実稼働時間を検出する            。
【０１０４】
Ｋ１  ：揺動回数記憶手段
揺動スタートキーＳ４が押されたときの揺動回数ｋ１を記憶する。
【０１０５】
Ｋ２  ：揺動回数記憶手段
第１プログラムキーＳ１が押されたときの揺動回数ｋ２を記憶する。
【０１０６】
Ｋ３  ：揺動回数記憶手段
第２プログラムキーＳ２が押されたときの揺動回数ｋ３を記憶する。
【０１０７】
Ｋ４  ：目覚まし時刻記憶手段
目覚まし時刻ｋ４を記憶する。
【０１０８】
つぎに、各種時間、揺動回数を設定する手順について説明する。
【０１０９】
まず、各タイマーＴ１〜Ｔ１２に設定された時間ｔ１〜ｔ１２が「０００」のときについて説明する。
【０１１０】
タイマーＴ１の揺動稼働時間ｔ１に「０００」を設定すると、揺動スタートキーＳ４が押されたときに、ベッド床Ｂの揺動は、連続稼働する。
【０１１１】
タイマーＴ２のＢＧＭ稼働時間ｔ２に「０００」を設定すると、ＢＧＭスタートキーＳ６が押されたときに、ＢＧＭプレーヤー３０は、連続稼働する。
【０１１２】
タイマーＴ３のささやき稼働時間ｔ３に「０００」を設定すると、ささやきスタートキーＳ８が押されたときに、ささやきプレーヤー３１は、連続稼働する。
【０１１３】
タイマーＴ４の芳香ファン稼働時間ｔ４に「０００」を設定すると、芳香スタートキーＳ１０が押されたときに、芳香ファン６１は、連続稼働する。
【０１１４】
タイマーＴ５の揺動稼働時間ｔ５に「０００」を設定すると、連動キーＳ３が押されずに第１プログラムキーＳ１が押されたときに、ベッド床Ｂは揺動しない。
【０１１５】
タイマーＴ６のＢＧＭ稼働時間ｔ６に「０００」を設定すると、連動キーＳ３が押されずに第１プログラムキーＳ１が押されたときに、ＢＧＭプレーヤー３０は稼働しない。
【０１１６】
タイマーＴ７のささやき稼働時間ｔ７に「０００」を設定すると、連動キーＳ３が押されずに第１プログラムキーＳ１が押されたときに、ささやきＢＧＭプレーヤー３１は稼働しない。
【０１１７】
タイマーＴ８の芳香ファン稼働時間ｔ８に「０００」を設定すると、連動キーＳ３が押されずに第１プログラムキーＳ１が押されたときに、芳香ファン６１は稼働しない。
【０１１８】
タイマーＴ９の揺動稼働時間ｔ９に「０００」を設定すると、連動キーＳ３が押されずに第２プログラムキーＳ２が押されたときに、ベッド床Ｂは揺動しない。
【０１１９】
タイマーＴ１０のＢＧＭ稼働時間ｔ１０に「０００」を設定すると、連動キーＳ３が押されずに第２プログラムキーＳ２が押されたときに、ＢＧＭプレーヤー３０は稼働しない。
【０１２０】
タイマーＴ１１のささやき稼働時間ｔ１１に「０００」を設定すると、連動キーＳ３が押されずに第２プログラムキーＳ２が押されたときに、ささやきプレーヤー３１は稼働しない。
【０１２１】
タイマーＴ１２の芳香ファン稼働時間ｔ１２に「０００」を設定すると、連動キーＳ３が押されずに第２プログラムキーＳ２が押されたときに、芳香ファン６１は稼働しない。
【０１２２】
なお、連動キーＳ３が押されてから、第１プログラムキーＳ１、または第２プログラムキーＳ３が押されたときは、後述する「操作の説明」に記載する。
【０１２３】
１．揺動スタートＳ４を押したときの揺動稼働時間ｔ１を設定する手順
(1) 設定キーＳ２１を押す。これにより、表示器ＤＳＰに「設定」が表示される。
【０１２４】
(2) つぎに、揺動時間キーＳ１６を押す。これにより、タイマーＴ１に現在設定させている揺動稼働時間ｔ１が、表示器ＤＳＰに表示される。たとえば、現在設定させている揺動稼働時間ｔ１が９０分の場合に、表示器ＤＳＰに「揺動稼働時間設定：０９０分」が表示される。
【０１２５】
(3) つぎに、増加キーＳ１４、または減少キーＳ１５を押して、表示器ＤＳＰに希望する揺動稼働時間を表示させる。たとえば、希望する揺動稼働時間が１２０分の場合は、増加キーＳ１４を押して、表示器ＤＳＰに「揺動稼働時間設定：１２０分」を表示させる。      
【０１２６】
(4) つぎに、決定キーＳ２２を押す。これにより、表示器ＤＳＰの表示が消える。
【０１２７】
以上により、(3) で表示した時間が、タイマーＴ１の揺動稼働時間ｔ１に設定される。たとえば、揺動稼働時間ｔ１は１２０分に更新される。
【０１２８】
２．ＢＧＭスタートキーＳ６を押したときのＢＧＭ稼働時間ｔ２を設定する手順
(1) 設定キーＳ２１を押す。これにより、表示器ＤＳＰに「設定」が表示される。
【０１２９】
(2) つぎに、ＢＧＭ時間キー１７を押す。これにより、タイマーＴ２に現在設定させているＢＧＭ稼働時間ｔ２が、表示器ＤＳＰに表示される。たとえば、現在設定させているＢＧＭ稼働時間ｔ２が８０分の場合は、表示器ＤＳＰに「ＢＧＭ稼働時間設定：０８０分」が表示される。
【０１３０】
(3) つぎに、増加キーＳ１４、または減少キーＳ１５を押して、表示器ＤＳＰに希望するＢＧＭ稼働時間を表示させる。たとえば、希望するＢＧＭ稼働時間が１１０分の場合は、増加キーＳ１４を押して、表示器ＤＳＰに「ＢＧＭ稼働時間設定：１１０分」を表示させる。
【０１３１】
(4) つぎに、決定キーＳ２２を押す。これにより、表示器ＤＳＰの表示が消える。
【０１３２】
以上により、(3) で表示した時間が、タイマーＴ２のＢＧＭ稼働時間ｔ２に設定される。たとえば、ＢＧＭ稼働時間ｔ２は１１０分に更新される。
【０１３３】
３．ささやきスタートキーＳ８を押したときのささやき稼働時間ｔ３を設定する手順
(1) 設定キーＳ２１を押す。これにより、表示器ＤＳＰに「設定」が表示される。
【０１３４】
(2) つぎに、ささやき時間キーＳ１８を押す。これにより、タイマーＴ３に現在設定させているささやき稼働時間ｔ３が、表示器ＤＳＰに表示される。たとえば、現在設定させているささやき稼働時間ｔ３が７０分の場合は、表示器ＤＳＰに「ささやき稼働時間設定：０７０分」が表示される。
【０１３５】
(3) つぎに、増加キーＳ１４、または減少キーＳ１５を押して、表示器ＤＳＰに希望するささやき稼働時間を表示させる。たとえば、希望するささやき稼働時間が１００分の場合は、増加キーＳ１４を押して、表示器ＤＳＰに「ささやき稼働時間設定：１００分」を表示させる。
【０１３６】
(4) つぎに、決定キーＳ２２を押す。これにより、表示器ＤＳＰの表示が消える。
【０１３７】
以上により、(3) で表示した時間が、タイマーＴ３のささやき稼働時間ｔ３に設定される。たとえば、ささやき稼働時間ｔ３は１００分に更新される。
【０１３８】
４．芳香スタートキーＳ１０を押したときの芳香ファン稼働時間ｔ４を設定する手順
(1) 設定キーＳ２１を押す。これにより、表示器ＤＳＰに「設定」が表示される。
【０１３９】
(2) つぎに、芳香時間キーＳ１９を押す。これにより、タイマーＴ４に現在設定させている芳香ファン稼働時間ｔ４が、表示器ＤＳＰに表示される。たとえば、現在設定させている芳香ファン稼働時間ｔ４が６０分の場合は、表示器ＤＳＰに「芳香ファン稼働時間設定：０６０分」が表示される。
【０１４０】
(3) つぎに、増加キーＳ１４、または減少キーＳ１５を押して、表示器ＤＳＰに希望する芳香ファン稼働時間を表示させる。たとえば、希望する芳香ファン稼働時間が９０分の場合は、増加キーＳ１４を押して、表示器ＤＳＰに「芳香ファン稼働時間設定：０９０分」を表示させる。
【０１４１】
(4) つぎに、決定キーＳ２２を押す。これにより、表示器ＤＳＰの表示が消える。
【０１４２】
以上により、(3) で表示した時間が、タイマーＴ４の芳香ファン稼働時間ｔ４に設定される。たとえば、芳香ファン稼働時間ｔ４は９０分に更新される。
【０１４３】
４．揺動スタートキーＳ４を押したときの揺動回数ｋ１を設定する手順
(1) 設定キーＳ２１を押す。これにより、表示器ＤＳＰに「設定」が表示される。
【０１４４】
(2) つぎに、揺動回数キーＳ２０を押す。これにより、揺動回数器記憶手段Ｋ１に現在設定させている揺動回数ｋ１が、表示器ＤＳＰに表示される。たとえば、現在設定させている揺動回数ｋ１が１０回／分の場合は、「揺動回数設定：０１０回／分」が表示される。
【０１４５】
(3) つぎに、増加キー１４、または減少キー１５を押して、表示器ＤＳＰに希望する揺動回数を表示させる。たとえば、希望する揺動回数が７回／分の場合、減少キーＳ１５を押して、表示器ＤＳＰに「揺動回数設定：７回／分」を表示させる。
【０１４６】
(4) つぎに、決定キーＳ２２を押す。これにより、表示器ＤＳＰの表示が消える。
【０１４７】
以上により、(3) で表示した回数が、揺動回数記憶手段Ｋ１に揺動回数ｋ１として設定される。たとえば、揺動回数ｋ１は７回／分に更新される。
【０１４８】
５．第１プログラムキーＳ１を押したときの、揺動稼働時間ｔ５、ＢＧＭ稼働時間ｔ６、ささやき稼働時間ｔ７、芳香ファン稼働時間ｔ８および揺動回数ｋ２を設定する手順
(1) 設定キーＳ２１を押す。これにより、表示器ＤＳＰに「設定」が表示される。
【０１４９】
(2) つぎに、プログラムキーＳ１を押す。これにより「第１プログラム設定」が表示器ＤＳＰに表示される。
【０１５０】
(3) つぎに、揺動時間キー１６を押す。これにより、タイマーＴ５に現在設定させている揺動稼働時間ｔ５が表示器ＤＳＰに表示される。たとえば、現在設定させている揺動稼働時間ｔ５が９０分に場合は、「揺動稼働時間設定：０９０分」が表示される。
【０１５１】
(4) つぎに、増加キーＳ１４または減少キーＳ１５を押して、表示器ＤＳＰに希望する揺動稼働時間を表示させる。たとえば、希望する揺動稼働時間が１２０分に場合は、増加キーＳ１４を押して、表示器ＤＳＰに「揺動稼働時間設定：１２０分」を表示させる。
【０１５２】
(5) つぎに、ＢＧＭ時間キーＳ１７を押す。これにより、タイマーＴ６に現在設定させているＢＧＭ稼働時間ｔ６が表示器ＤＳＰに表示される。たとえば、現在設定させているＢＧＭ稼働時間ｔ６が８０分に場合は、「ＢＧＭ稼働時間設定：０８０分」が表示される。
【０１５３】
(6) つぎに、増加キーＳ１４または減少キーＳ１５を押して、表示器ＤＳＰに希望するＢＧＭ稼働時間を表示させる。たとえば、希望するＢＧＭ稼働時間が１１０分に場合は、増加キーＳ１４を押して、表示器ＤＳＰに「ＢＧＭ稼働時間設定：１１０分」を表示させる。
【０１５４】
(7) つぎに、ささやき時間キーＳ１８を押す。これにより、タイマーＴ７に現在設定させているささやき稼働時間ｔ７が表示器ＤＳＰに表示される。たとえば、現在設定させているささやき稼働時間ｔ７が７０分に場合は、「ささやき稼働時間設定：０７０分」が表示される。  
【０１５５】
(8) つぎに、増加キーＳ１４または減少キーＳ１５を押して、表示器ＤＳＰに希望するささやき稼働時間を表示させる。たとえば、希望するささやき稼働時間が１００分に場合は、増加キーＳ１４を押して、表示器ＤＳＰに「ささやき稼働時間設定：１００分」を表示させる。
【０１５６】
(9) つぎに、芳香時間キーＳ１９を押す。これにより、タイマーＴ８に現在設定させている芳香ファン稼働時間ｔ８が表示器ＤＳＰに表示される。たとえば、現在設定させている芳香ファン稼働時間ｔ８が６０分に場合は、「芳香ファン稼働時間設定：０６０分」が表示される。  
【０１５７】
(10)つぎに、増加キーＳ１４または減少キーＳ１５を押して、表示器ＤＳＰに希望する芳香ファン稼働時間を表示させる。たとえば、希望する芳香ファン稼働時間が９０分の場合は、増加キーＳ１４を押して、表示器ＤＳＰに「芳香ファン稼働時間設定：０９０分」を表示させる。  
【０１５８】
(11)つぎに、揺動回数キーＳ２０を押す。これにより、揺動回数記憶手段Ｋ２に現在設定させている揺動回数ｋ２が、表示器ＤＳＰに表示される。たとえば現在設定させている揺動回数ｋ２が１０回／分の場合は、「揺動回数設定：０１０回／分」が表示される。
【０１５９】
(12)つぎに、増加キーＳ１４または減少キーＳ１５を押して、表示器ＤＳＰに希望する揺動回数を表示させる。たとえば、希望する揺動回数が７回／分の場合は、減少キーＳ１５を押して、表示器ＤＳＰに「揺動回数設定：７回／分」を表示させる。
【０１６０】
(13)つぎに、決定キーＳ２２を押す。これにより、表示器ＤＳＰの表示が消える。
【０１６１】
以上により、(4) で表示した時間が、タイマーＴ５の揺動稼働時間ｔ５に設定され、(6) で表示した時間が、タイマー６のＢＧＭ稼働時間ｔ６に設定され、(8) で表示した時間が、タイマーＴ７のささやき稼働時間ｔ７に設定され、(10)で表示した時間が、タイマーＴ８の芳香ファン稼働時間ｔ８に設定され、(12)で表示した回数が、揺動回数記憶手段Ｋ２に揺動回数ｋ２として設定される。
【０１６２】
たとえば、揺動稼働時間ｔ５は１２０分、ＢＧＭ稼働時間ｔ６は１１０分、ささやき稼働時間ｔ７は１００分、芳香ファン稼働時間ｔ８は９０分、揺動回数ｋ２は７回／分にそれぞれ更新される。
【０１６３】
６．第２プログラムキーＳ２を押したときの、揺動稼働時間ｔ９、ＢＧＭ稼働時間ｔ１０、ささやき稼働時間ｔ１１、芳香ファン稼働時間ｔ１２および揺動回数ｋ３を設定する手順
この場合、前記５．における(2) で、第１プログラムキーＳ１を押すに代えて第１プログラムキーＳ２を押す以外は、前記５と同じである。
【０１６４】
なお、この場合において、(2) に「第１」とあるを「第２」に、また(3) に「Ｔ５」、「Ｔ９」とあるを、それぞれ「ｔ５」、「ｔ９」に、また、(5) に「Ｔ６」、「ｔ６」とあるを、それぞれ「Ｔ１０」、「ｔ１０」に、また、(7) に「Ｔ７」、「ｔ７」とあるを、「Ｔ１１」、「ｔ１１」に、(9) に「Ｔ８」、「ｔ８」とあるを、それぞれ「Ｔ１２」、「ｔ１２」に、また、(11)に「Ｋ２」、「ｋ２」とあるを、それぞれ「Ｋ３」、「ｋ３」に読み替えるものとする。
【０１６５】
以上により、(4) で表示した時間が、タイマーＴ９の揺動稼働時間ｔ９に設定され、(6) で表示した時間がタイマー１０のＢＧＭ稼働時間ｔ１０に設定され、(8) で表示した時間が、タイマーＴ１１のささやき稼働時間ｔ１１に設定され、(10)で表示した時間が、タイマーＴ１２の芳香ファン稼働時間ｔ１２に設定され、(12)で表示した回数が、揺動回数記憶手段Ｋ３に揺動回数ｋ３として設定される。
【０１６６】
７．目覚まし時刻記憶手段Ｋ４に目覚まし時刻ｋ４を記憶させる手順
(1) 時キーＳ２５を押す。これにより、目覚まし時刻記憶手段Ｋ４が現在記憶している目覚まし時刻ｋ４が表示器ＤＳＰに表示される。たとえば、現在記憶している目覚まし時刻ｋ４が、午前６時００分の場合は、表示器ＤＳＰに「目覚まし時刻０６：００」が表示される。
【０１６７】
(2) つぎに、設定キー２１を押す。
【０１６８】
(3) つぎに増加キーＳ１４、また減少キーＳ１５を押して、表示器ＤＳＰに希望する目覚まし時刻の「時」を表示させる。たとえば、希望する目覚まし時刻が午前５時３０分の場合、減少キーＳ１５を押して、表示器ＤＳＰに「目覚まし時刻０５：００」を表示させる。
【０１６９】
(4) つぎに、分キーＳ２６を押す。
【０１７０】
(5) つぎに、増加キーＳ１４、または減少キーＳ１５を押して、表示器ＤＳＰに希望する目覚まし時刻の「分」を表示させる。たとえば、希望する目覚まし時刻が午前５時３０分の場合、増加キー１４を押して、表示器ＤＳＰに「目覚時刻０５：３０」を表示させる。
【０１７１】
以上により、前記(5) で表示した目覚まし時刻が目覚まし時刻ｋ４として、記憶される。
【０１７２】
つぎに、リモコン３２による睡眠促進用ベッドの稼働操作について説明する。
【０１７３】
〔複数スタートの場合〕
１．第１プログラムを実行するとき
第１プログラムキーＳ１を押すと、ベッド床Ｂが揺動回数ｋ２の揺動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「第１プログラム」が表示される。これにより、使用者Ｍが睡眠に入るのを促進するための睡眠促進動作が行われる。
【０１７４】
そして、第１プログラムキーＳ１を押したときから、芳香ファン稼働時間ｔ８が経過すると、芳香ファン６１が停止し、ささやき稼働時間ｔ７が経過すると  ささやきプレーヤー３１が停止し、ＢＧＭ稼働時間ｔ６が経過するとＢＧＭプレーヤー３０が停止し、揺動稼働時間ｔ５が経過するとベッド床Ｂの揺動が停止する。そして、すべてが停止すると、表示器ＤＳＰの「第１プログラム」表示が消える。
【０１７５】
２．第２プログラムを実行するとき
第２プログラムキーＳ２を押すと、ベッド床Ｂが揺動回数ｋ３の揺動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「第２プログラム」が表示される。これにより、使用者Ｍが睡眠に入るのを促進するための睡眠促進動作が行われる。
【０１７６】
そして、第２プログラムキーＳ２を押したときから、芳香ファン稼働時間ｔ１２が経過すると、芳香ファン６１が停止し、ささやき稼働時間ｔ１１が経過すると、ささやきプレーヤー３１が停止し、ＢＧＭ稼働時間ｔ１０が経過するとＢＧＭプレーヤー３０が停止し、揺動稼働時間ｔ９が経過するとベッド床Ｂの揺動が停止する。
【０１７７】
そして、すべてが停止すると、表示器ＤＳＰの「第２プログラム」の表示が消える。
【０１７８】
３．連動第１プログラムを実行するとき
連動キーＳ３を押してから第１プログラムキーＳ１を押すと、ベッド床Ｂが揺動回数ｋ２の揺動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「連動第１プログラム」が表示される。これにより、使用者Ｍが睡眠に入るのを促進するための睡眠促進動作が行われる。
【０１７９】
そして、第１プログラムキーＳ１を押したときから、揺動稼働時間ｔ５が経過すると、ベッド床Ｂの揺動、ＢＧＭプレーヤー３０、ささやきプレーヤー３１および芳香ファン６１が停止し、表示器ＤＳＰの「連動第１プログラム」表示が消える。
【０１８０】
たとえば、揺動稼働時間ｔ５に１２０分が設定され、ＢＧＭ稼働時間ｔ６に１１０分が設定されている場合、ＢＧＭプレーヤー３０は、揺動稼働時間ｔ５に設定されている１２０分を経過すると停止する。また揺動稼働時間ｔ５に１２０分が設定され、ＢＧＭ稼働時間ｔ６に「０００」が設定されている場合、連動キーＳ３を押してから第１プログラムキーＳ１を押すと、ＢＧＭプレーヤー３０は稼働を始めて、ＢＧＭが流れる。そして、ＢＧＭプレーヤー３０は、揺動稼働時間ｔ５に設定されている１２０分が経過すると停止する。
【０１８１】
４．連動第２プログラムを実行するとき
連動キーＳ３を押してかられ第２プログラムキーＳ２を押すと、ベッド床Ｂが揺動回数ｋ３の揺動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「連動第２プログラム」が表示される。これにより、使用者Ｍが睡眠に入るのを促進するための睡眠促進動作が行われる。
【０１８２】
そして、第２プログラムキーＳ１を押したときから、揺動稼働時間ｔ１０が経過すると、ベッド床Ｂの揺動、ＢＧＭプレーヤー３０、ささやきプレーヤー３１および芳香ファン６１が停止し、表示器ＤＳＰの「連動第２プログラム」表示が消える。
【０１８３】
たとえば、揺動稼働時間ｔ９に９０分が設定され、ＢＧＭ稼働時間ｔ１０に８０分が設定されている場合、ＢＧＭプレーヤー３０は、揺動稼働時間ｔ９に設定されている９０分を経過すると停止する。また揺動稼働時間ｔ９に９０分が設定され、ＢＧＭ稼働時間ｔ１０に「０００」が設定されている場合、連動キーＳ３を押してから第２プログラムキーＳ２を押すと、ＢＧＭプレーヤー３０は稼働を始めて、ＢＧＭが流れる。そして、ＢＧＭプレーヤー３０は、揺動稼働時間ｔ９に設定されている９０分が経過すると停止する。
【０１８４】
〔単数スタートの場合〕
１．ベッド床Ｂを揺動させるとき
(1) 揺動スタートキーＳ４を押すと、ベッド床Ｂが揺動回数ｋ１の揺動を始め、また表示器ＤＳＰに「揺動」が表示される。これにより、使用者Ｍが睡眠に入るのを促進するための睡眠促進動作が行われる。
【０１８５】
(2) そして、揺動スタートキーＳ４を押したときから、揺動稼働時間ｔ１が経過すると、ベッド床Ｂの揺動が停止し、また表示器ＤＳＰの「揺動」表示が消える。
【０１８６】
なお、揺動稼働時間ｔ１の設定が「０００」のときは、前記(1) の表示器ＤＳＰに「連続揺動」が表示される。つぎに、揺動停止キーＳ５を押すと、ベッド床Ｂの揺動が停止し、また表示器ＤＳＰの「連続揺動」表示が消える。
【０１８７】
２．ＢＧＭを流すとき
(1) ＢＧＭスタートキーＳ６を押すと、ＢＧＭプレーヤー３０が稼働を始めてＢＧＭが流れ、また表示器ＤＳＰに「ＢＧＭ」が表示される。これにより、使用者Ｍが睡眠に入るのを促進するための睡眠促進動作が行われる。
【０１８８】
(2) そして、ＢＧＭスタートキーＳ６を押したときから、ＢＧＭ稼働時間ｔ２が経過すると、ＢＧＭプレーヤー３０が停止し、また表示器ＤＳＰの「ＢＧＭ」表示が消える。
【０１８９】
なお、ＢＧＭ稼働時間ｔ２の設定が「０００」のときは、前記(1) の表示器ＤＳＰに「連続ＢＧＭ」が表示される。つぎに、ＢＧＭ停止キーＳ７を押すと、ＢＧＭプレーヤー３０が停止し、また表示器ＤＳＰの「連続ＢＧＭ」表示が消える。
【０１９０】
３．「ささやき」を流すとき
(1) ささやきスタートキーＳ８を押すと、ささやきプレーヤー３１が稼働を始めて「ささやき」が流れ、また表示器ＤＳＰに「ささやき」が表示される。これにより、使用者Ｍが睡眠に入るのを促進するための睡眠促進動作が行われる。
【０１９１】
(2) そして、ささやきスタートキーＳ８を押したときから、ささやき稼働時間ｔ３が経過すると、ささやきプレーヤ３１が停止し、また表示器ＤＳＰの「ささやき」表示が消える。
【０１９２】
なお、ささやき稼働時間ｔ３の設定が「０００」のときは、前記(1) の表示器ＤＳＰに「連続ささやき」が表示される。つぎに、ささやき停止キーＳ９を押すと、ささやきプレーヤー３０が停止し、また表示器ＤＳＰの「連続ささやき」表示が消える。
【０１９３】
４．芳香を薫らせるとき
(1) 芳香スタートキーＳ１０を押すと、芳香ファン６１が稼働を始めて芳香剤の揮発性成分の拡散が始まり、また表示器ＤＳＰに「芳香」が表示される。これにより、使用者Ｍが睡眠に入るのを促進するための睡眠促進動作が行われる。
【０１９４】
(2) そして、芳香スタートキーＳ１０を押したときから、芳香ファン稼働時間ｔ４が経過すると、芳香ファン６１が停止し、また表示器ＤＳＰの「芳香」表示が消える。
【０１９５】
なお、芳香ファン稼働時間ｔ４の設定が「０００」のときは、前記(1) の表示器ＤＳＰに「連続芳香」が表示される。つぎに、芳香停止キーＳ１１を押すと、芳香ファン６１が停止し、また表示器ＤＳＰの「連続芳香」表示が消える。
【０１９６】
５．足温コタツを入りにするとき
足温コタツ「入」キーＳ１２を押すと、足温コタツＨＥへの通電が始まり、また表示器ＤＳＰに「足温コタツ」が表示される。これにより、使用者Ｍが睡眠に入るのを促進するための睡眠促進動作が行われる。
【０１９７】
足温コタツ「切」キーＳ１３を押すと、足温コタツＨＥへの通電が停止し、また表示器ＤＳＰの「足温コタツ」表示が消える。
【０１９８】
なお、足温コタツ「入」キーＳ１２および足温コタツ「切」キーＳ１３は他のキーＳ１〜Ｓ１１の操作に関係なく、足温コタツＨＥへの通電と通電停止を行うことができる。
【０１９９】
〔単数スタートで、複数のものが稼働している状態にする場合〕
揺動スタートキーＳ４、ＢＧＭスタートキーＳ６、ささやきスタートキーＳ８、芳香スタートキーＳ１０は、それらの複数を押して  それらの複数が稼働している状態にすることができる。たとえば、揺動スタートキーＳ４とＢＧＭスタートキーＳ６とを押すと、ベッド床Ｂが揺動し、ＢＧＭプレーヤー３０が稼働してＢＧＭが流れる状態にすることができる。これにより、使用者Ｍが睡眠に入るのを促進するための睡眠促進動作が行われる。
【０２００】
〔目覚まし動作を行う場合〕
(1) 時キーＳ２５を押す。これにより、目覚まし時刻記憶手段Ｋ４が現在記憶している目覚まし時刻ｋ４が表示器ＤＳＰに表示される。たとえば、現在記憶している目覚まし時刻ｋ４が午前６時００の場合は、表示器ＤＳＰに「目覚時刻０６：００」が表示される。      
【０２０１】
(2) つぎに、希望する目覚まし時刻が前記(1) で表示器ＤＳＰに表示された時刻と同じときは、目覚まし「入」キーＳ２４を押す。これにより、前記(1) で表示器ＤＳＰに表示された時刻が、目覚まし時刻として設定される。たとえば、前記(1) で表示器ＤＳＰに表示された「目覚ま時刻０６：００」が目覚まし時刻として設定される。
【０２０２】
(3) 前記(2) において、希望する目覚まし時刻が前記(1) で表示器ＤＳＰに表示された時刻と相違するときは、前述の「７．目覚まし時刻記憶手段Ｋ４に目覚まし時刻ｋ４を記憶させる手順」で希望する目覚まし時刻を表示器ＤＳＰに表示させてから、目覚まし「入」キーＳ２４を押す。これにより、目覚まし「入」キーＳ２４を押す直前に表示器ＤＳＰに表示された時刻が目覚まし時刻として設定される。
【０２０３】
(4) 前記(2) または(3) で目覚まし「入」キーが押されて目覚まし時刻が設定されると、その設定された目覚まし時刻が表示器ＤＳＰに表示され続ける。
【０２０４】
(5) そして、時計手段ＣＬが出力する現在時刻が、設定された目覚まし時刻になると、ブレーキモータ１５が駆動を始めてベッド床Ｂが揺動を始めると共にＢＧＭプレーヤー３０が稼働を始めてＢＧＭが流れる目覚まし動作が行われる。この目覚まし動作のときの、ベッド床Ｂの揺動速度は、通常、睡眠促進動作のときよりも速い速度に設定されている。たとえば、睡眠促進動作時のベッド床Ｂの揺動速度は１０回／分であるのに対し目覚まし動作時のベッド床Ｂの揺動速度は２０回／分のように設定される。
【０２０５】
(6) 前記目覚まし動作により、睡眠から目覚めた使用者Ｍ、または、使用者Ｍの目覚めを確認した第３者、たとえば介護者は揺動停止キーＳ５を押して目覚まし動作を停止させる。これにより、表示器ＤＳＰに表示された目覚まし時刻が消える。
【０２０６】
つぎに、本発明にかかる睡眠促進用ベッドを使用する手順について説明する。
【０２０７】
使用者Ｍは、ベッド床Ｂ上に仰起する前に下記の操作を順に行う。
【０２０８】
(1) 前記枕ユニットＰ内に予め冷やしてある冷却マット４６を挿入して、頭部Ｈを冷やせる状態に整える。
【０２０９】
(2) 枕ユニットＰの上部の投入口４２に、セラピー香料などの揮発性のある芳香剤６０を差し入れる。
【０２１０】
(3) つぎに、就寝する前に、リモコン３２を操作して、空床の状態で、ベッド床Ｂの揺動回数、揺動速度、揺動角度を自分の目安となる値に調整する。
【０２１１】
(4) つぎに使用者Ｍは、ベッド床Ｂ上への乗降を繰り返してベッド床Ｂの揺動回数、揺動速度、揺動角度を最適な値に調整する。
【０２１２】
このような調整は最初は手間取るが、一度最適値を設定すれば、その後は大幅な調整はしないで済む。
【０２１３】
(5) 以上の調整が済んだら、使用者Ｍは、図１に示すように、ベッド床Ｂ上に仰臥して、毛布ＢＬを掛け、リモコンスイッチ３２にて、揺動稼働時間（たとえば９０分あるいは１２０分）を設定したのち、たとえば第１プログラムキーＳ１押すと、ベッド床Ｂは、前記設定値に基づきゆるやかな揺動運動を繰り返す。
【０２１４】
なお、目覚まし動作を行わせる場合は、前述の「目覚まし動作を行う場合」に記載の操作を行って目覚まし時刻を設定してから、たとえば、第１プログラムキーＳ１を押す。
【０２１５】
ところで、この第１実施例によれば、ベッド床Ｂの揺動中心軸線Ｌ１−Ｌ１は、使用者Ｍの頭部Ｈを上下方向に通過しているので、使用者Ｍの頭部Ｈの上下方向の揺動は殆どない状態で、ベッド床Ｂは左右に揺れ、身体も揺らいだ状態となり、使用者Ｍに、短時間のうちに心地よい睡眠を促すことができる。
【０２１６】
図４には、ベッド床Ｂの揺動態様の具体例が示される。この具体例によれば、ベッド床Ｂの揺動中心軸線Ｌ１−Ｌ１は、使用者Ｍの頭部Ｈの中心Ｈｃを上下方向に通過しており、ローラ３９，３９が、ベッド床Ｂの前後方向の中心軸線Ｌ２−Ｌ２から左右へそれぞれ約６０ｍｍずつ動く（合計約１２０ｍｍ）ようになっており、したがって、使用者Ｍの踵では、前後方向の中心軸線Ｌ２−Ｌ２から左右へそれぞれ約５０ｍｍ（合計約１００ｍｍ）ずつ動くようになっている。
【０２１７】
ところで、就寝の準備を整えた使用者Ｍは、ベッド床Ｂ上に仰臥し、頭部Ｈを枕ユニットＰの冷却マット４６で冷しながら、ＢＧＭ発生手段ＭＵのスピーカー６３から流れる自分の好みにあった軽いメロディーを聞きながら、芳香発生手段ＳＭから発生している芳香を嗅ぎ、その耳元に、暗示トーク発生手段、すなわち「やすらぎ・ささやき」発生手段により、使用者Ｍの嬉しかった事や甘い思い出や、本人の得意なスポーツや趣味などを、事前のアンケート調査により、選択した事例のエッセンスを優しくまとめ、男性の場合は女性、女性の場合は男性と、お互いに異性の方の熟練者のトークを効果的にささやくように編集されたテープにて、スピーカー６５から流し、特に本人をうぬぼれさせるような、たとえば、“貴方は美男子だから、若い女性にもてることでしょう”など気持ちが高揚し楽しくなるトークがささやかれれば、一時のストレスの解消に大いに役立ち、睡眠を促すことができる。
【０２１８】
以上のように、自分に最も適した揺動幅、揺動回数を選択し、好みの芳香を嗅ぎ、聞き慣れたＢＧＭと、時々嬉しい“よいしょ”するようなささやきを聞いて、短時間のうちに入眠状態に入ることで可能になる。
【０２１９】
また、冬期や寒冷時には、足温手段ＨＥにより足部を温めるようにする。
【０２２０】
目覚まし時刻が設定されたときは、時計手段ＣＬの出力する現在時刻が、目覚まし時刻と一致すると、目覚まし動作が行われる。
【０２２１】
なお、目覚まし動作時のベッド床Ｂの揺動速度は、１つの値に固定されていてもよいし、リモコン３２で使用者Ｍが希望するベッド床Ｂの揺動速度に設定することができるようにしてもよいし、睡眠促進動作時のベッド床Ｂの揺動速度で揺動を始めてから徐々に増速するようにしてもよい。
【０２２２】
図１５に示すように、支持フレームＳに設けられる前記制御盤１０には、ＡＣ１００Ｖ電源に接続される元スイッチ８１、足温手段（足温コタツ）用コンセント８０が結線され、その入力側には、リモコン３２が結線され、その出力側には、ＢＧＭスピーカー６３，暗示トーク用スピーカー２５、芳香ファン６１、ＢＧＭプレーヤー３０、暗示トークプレーヤー３１、ブレーキモータ（揺動モータ）１５、水平検出センサー（近接スイッチ）２６，足温ヒータ７５がそれぞれ結線される。
【０２２３】
つぎに、図１７を参照して、本発明の第２実施例について説明する。
【０２２４】
図１７は、第２実施例にかかる前記図６に対応した図であり、前記第１実施例と同じ要素には同じ符号が付される。
【０２２５】
この第２実施例は、ベッド床Ｂを支持フレームＳ上に支持するレール案内支持手段ＳＬの構成が前記第１の実施例と異なっている。すなわち前記案内支持手段ＳＬの案内レール１３８は、図１７に示すように、ベッド床Ｂの前後方向の中心軸線Ｌ２−Ｌ２に存する谷Ｖよりベッド床Ｂの左右方向外側に向かって緩やかな上り勾配に傾斜する左右案内レール１３８Ｌ，１３８Ｒより構成されている。そして、左右案内レール１３８Ｌ，１３８Ｒ上には、ベッド床Ｂの下面にブラケット４０，４０を介して支持される左右一対のローラ３９，３９がそれぞれ転動自在に載せられている。したがって、揺動駆動手段Ｄの稼働により、ベッド床Ｂが上下方向の揺動中心軸線Ｌ１−Ｌ１まわりに左右に揺動駆動されるとき、該ベッド床Ｂは自動調心軸受１２の中心、すなわち揺動中心Ｃまわりにも上下方向にシーソー状に傾動し、この傾動により、一対のローラ３９，３９が左右案内レール１３８Ｌ，１３８Ｒ上を転動し、その結果、ベッド床Ｂは、該左右案内レール１３８Ｌ，１３８Ｒに案内されて、その左右の両端が反対方向の昇降運動を伴いながら左右方向に揺動することになる。
【０２２６】
したがって、第２実施例のものでは、ベッド床Ｂ上の使用者Ｍは、大切な頭部Ｈが、水平状態を保ちながら、その足部Ｌｅは、前記左右案内レール１３８Ｌ，１３８Ｒの案内軌跡に沿って緩やかなシーソー状の上下方向の傾動を伴いながら左右方向に揺動されることになり、快適な睡眠が一層促進される。
【０２２７】
以上、本発明の実施例について説明したが、本発明はその実施例に限定されることなく、本発明の範囲内で種々の実施例が可能である。
【図面の簡単な説明】
【０２２８】
【図１】睡眠促進用ベッドの一部破断全体側面図
【図２】睡眠促進用ベッドを上下に傾動した場合の一部破断全体側面図
【図３】睡眠促進用ベッドの一部破断全体斜視図
【図４】図１の４矢視の睡眠促進用ベッドの一部破断平面図
【図５】図１の５−５線に沿う睡眠促進用ベッドの一部破断前端面図
【図６】図１の６−６線に沿う睡眠促進用ベッドの一部破断後端面図
【図７】図１の７−７線に沿う拡大断面図
【図８】図７の仮想線囲い部分の拡大図
【図９】図８の９−９線に沿う断面図
【図１０】図１の１０矢視拡大図
【図１１】図１０の１１−１１線に沿う断面図
【図１２】図１１の１２矢視図
【図１３】図１の１３矢視拡大図
【図１４】図１３の１４−１４線に沿う断面図
【図１５】リモコンスイッチの正面図
【図１６】睡眠促進用ベッドの駆動制御の結線説明図
【図１７】本発明の第２実施例に係る図６対応図
【符号の説明】
【０２２９】
１５・・・・・水平位置固定手段（ブレーキモータ）
２６・・・・・水平位置検出手段（近接スイッチ）
３２・・・・・リモコンスイッチ
１３８Ｌ・・・左案内レール
１３８Ｒ・・・右案内レール
Ａ・・・・・・揺動幅調整装置
Ｃ・・・・・・揺動中心点
Ｓ・・・・・・支持フレーム
Ｄ・・・・・・揺動駆動装置
Ｂ・・・・・・ベッド床
Ｆ・・・・・・ベッドフレーム
Ｈ・・・・・・頭部
Ｌｅ・・・・・足部
Ｍ・・・・・・使用者
Ｖ・・・・・・谷
ＳＭ・・・・・芳香発生手段
ＭＵ・・・・・ＢＧＭ発生手段
ＷＩ・・・・・暗示トーク発生手段
Ｌ１−Ｌ１・・ベッド床の上下方向の揺動中心軸線
Ｌ２−Ｌ２・・ベッド床の前後方向の中心軸線
Ｓ１４，Ｓ１５，Ｓ２３，Ｓ２５，Ｓ２６，ＤＳＰ・・・・目覚まし時刻設定手段
ＢＧＭ・・・・目覚まし音発生手段